(57)【要約】無線ＰＢＸ音声サービスを構内情報通信網（ＷＬＡＮ）に対して提供するソフトスイッチを使用して、ＰＢＸ機能をセルラー分野に拡大する。二重モード遠隔ユニットは、セルラーシステムおよびＷＬＡＮの両方において信号を受信することが可能である。セルラーシステムは、データ搬送パスと、音声搬送パスとからなる。二重モード遠隔ユニットは、ＷＬＡＮ内にある場合には、ＷＬＡＮ上でのＩＰ上での音声通信（ＶｏＩＰ）信号伝達およびセッション開始プロトコル（ＳＩＰ）制御信号伝達の両方を行う。ＷＬＡＮ外にある場合には、遠隔ユニットは、標準的なセルラー音声チャンネルを使用して、セルラーネットワークの音声搬送パス上で音声信号伝達を行う。並行して、遠隔ユニットは、セルラーネットワークのデータ搬送パスを使用して、ＳＩＰ制御信号伝達を行う。
2006520164.tif 000002
【特許請求の範囲】
【請求項１】
ＷＬＡＮスイッチからの呼び出しを無線構内情報通信網（ＷＬＡＮ）上で無線通信システムへハンドオフする方法であって、
無線通信システムを介したＷＬＡＮスイッチから加入者装置への呼び出しを開始することと、
無線通信システムから呼び出しを受信することと、
無線構内情報通信網からの呼び出しを、無線通信システムへの接続へ切り換えることを含む、方法。
【請求項２】
登録メッセージをＷＬＡＮスイッチへ送出する、請求項１に記載の方法。
【請求項３】
登録メッセージをＷＬＡＮスイッチから受信する、請求項２に記載の方法。
【請求項４】
無線通信システムは、セルラーシステムである、請求項３に記載の方法。
【請求項５】
登録メッセージは、無線構内情報通信網を介して送出される、請求項４に記載の方法。
【請求項６】
登録メッセージは、セルラーシステムを介して送出される、請求項４に記載の方法。
【請求項７】
無線通信へのハンドオフが保証されているかどうかを決定することをさらに含む、請求項４に記載の方法。
【請求項８】
ハンドオフの決定は、無線構内情報通信網信号強度パラメータを監視することを通じて行われる、請求項７に記載の方法。
【請求項９】
無線構内情報通信網信号強度パラメータは、自動利得制御値である、請求項８に記載の方法。
【請求項１０】
無線構内情報通信網信号強度パラメータは、受信信号強度指標である、請求項８に記載の方法。
【請求項１１】
ハンドオフの決定は、リンク品質指標パラメータを監視することを通じて行われる、請求項７に記載の方法。
【請求項１２】
リンク品質指標パラメータは、パケット誤り率である、請求項１１に記載の方法。
【請求項１３】
リンク品質指標パラメータは、信号対雑音比である、請求項１１に記載の方法。
【請求項１４】
ハンドオフの決定は、リンク動作パラメータを監視することを通じて行われる、請求項７に記載の方法。
【請求項１５】
リンク動作パラメータは、最大許容データ率である、請求項１４に記載の方法。
【請求項１６】
リンク動作パラメータは、現在のデータ転送速度である、請求項１４に記載の方法；
ＷＬＡＮスイッチからの呼び出しを無線構内情報通信網上で無線通信システムへハンドオフするものが備える。
【請求項１７】
無線加入者装置であって、
無線通信システムを介したＷＬＡＮスイッチから加入者装置への呼び出しを開始するためのＳＩＰプロセッサと、
無線通信システムから呼び出しを受信するためのセルラープロセッサと、
無線構内情報通信網からの呼び出しを、無線通信システムへの接続へ切り換えるためのコントローラとを備える、無線加入者装置。
【請求項１８】
ＳＩＰプロセッサは、登録メッセージをＷＬＡＮスイッチへ送出するためのものでもある、請求項１７に記載の装置。
【請求項１９】
ＳＩＰプロセッサは、開始要求メッセージをＷＬＡＮスイッチから受信するためのものでもある、請求項１８に記載の装置。
【請求項２０】
無線通信システムは、セルラーシステムである、請求項１９に記載の装置。
【請求項２１】
登録メッセージは、無線構内情報通信網を介して送出される、請求項２０に記載の装置。
【請求項２２】
登録メッセージは、セルラーシステムを介して送出される、請求項２０に記載の装置。
【請求項２３】
コントローラは、さらに、無線通信へのハンドオフが保証されているかどうかを決定するためのものである、請求項２０に記載の装置。
【請求項２４】
ハンドオフの決定は、無線構内情報通信網信号強度パラメータを監視することを通じて行われる、請求項２３に記載の装置。
【請求項２５】
無線構内情報通信網信号強度パラメータは、自動利得制御値である、請求項２４に記載の装置。
【請求項２６】
無線構内情報通信網信号強度パラメータは、受信信号強度指標である、請求項２４に記載の装置。
【請求項２７】
ハンドオフの決定は、リンク品質指標パラメータを監視することを通じて行われる、請求項２３に記載の装置。
【請求項２８】
リンク品質指標パラメータは、パケット誤り率である、請求項２７に記載の装置。
【請求項２９】
リンク品質指標パラメータは、信号対雑音比である、請求項２７に記載の装置。
【請求項３０】
ハンドオフの決定は、リンク動作パラメータを監視することを通じて行われる、請求項２３に記載の装置。
【請求項３１】
リンク動作パラメータは、最大許容データ率である、請求項３０に記載の装置。
【請求項３２】
リンク動作パラメータは、現在のデータ転送速度である、請求項３０に記載の装置。
【請求項３３】
無線加入者装置であって、
無線通信システムを介したＷＬＡＮスイッチから加入者装置への呼び出しを開始するための手段と、
無線通信システムから呼び出しを受信するための手段と、
無線構内情報通信網からの呼び出しを、無線通信システムへの接続へ切り換えるための手段とを備える、無線加入者装置。
【請求項３４】
データおよび命令によって符号化されたコンピュータ読み出し可能な媒体であって、データおよび命令は、
無線通信システムを介したＷＬＡＮスイッチから加入者装置への呼び出しを開始するためと、
無線通信システムから呼び出しを受信するためと、
無線構内情報通信網からの呼び出しを、無線通信システムへの接続へ切り換えるための命令を装置に実行させる、媒体。
【発明の詳細な説明】
【技術分野】
【０００１】
背景
関連出願
本出願は、２００３年３月１２日に出願された米国特許仮出願第６０／４５４８７７号の利益を主張する。
【０００２】
関連出願の説明
本発明の局面は、通信ネットワークに関し、移動可能な無線音声およびデータ通信ネットワークに関する。
【背景技術】
【０００３】
関連出願の説明
平均的なビジネスの専門家は、卓上電話で使用可能な広範にわたる機能に慣れ親しんでいる。しかしながら、仕事場から離れているときには、たとえ携帯電話を所持しているとしても、これらの機能を使用することができない。単純な電話転送を使用して、卓上電話にかかった電話を、代わりに携帯電話で受信するように別ルートで送出することができる。しかしながら、この単純な転送機構は、ユーザに対して、卓上で慣れ親しんだ機能を提供するものではない。
【発明の開示】
【課題を解決するための手段】
【０００４】
概要
本発明のシステムおよび方法は、いくつかの特徴を有し、そのいずれもが、単独でその属性の要因となるものではない。後述の請求項に表された本発明の範囲を限定することなく、そのより顕著な特徴をこれから簡単に説明する。この開設を検討した後、特に「詳細な説明」という表題の節を読んだ後には、本システムおよび方法の特徴が従来の通信システムに対していくつかの利点をいかに提供かを読者は理解するであろう。
【０００５】
局面の１つは、音声搬送パスおよびデータ搬送パスを有するセルラーネットワークを含む通信システムと協同してソフトスイッチである。ソフトスイッチは、セルラーネットワークの音声搬送パスに結合されるように構成された第１のゲートウェイと、第１のゲートウェイと協同し、構内交換機（ＰＢＸ）サービスを無線構内情報通信網に対して提供するように構成され、かつ第１のゲートウェイを使用してセルラーネットワークの音声搬送パス上で音声呼び出しを切り換えるように構成されたゲートウェイコントローラモジュールとを備える。ゲートウェイコントローラモジュールは、無線構内情報通信網と、セルラーネットワークのデータ搬送パスとに結合されるように構成されて、音声呼び出しに関するメッセージ伝達を作成してセルラーネットワークのデータ搬送パス上で送信する呼び出し制御機能モジュールを含む。
【０００６】
他の局面は、呼び出し接続に関する装置であって、呼び出し確立試行を示す第１のＳＩＰ開始要求メッセージを遠隔ユニットに対してセルラーネットワークのデータ搬送パス上で送出するための手段と、対応する開始メッセージを遠隔ユニットに対してセルラーネットワークの音声搬送パス上で送出するための手段とを備える装置である。
【０００７】
他の局面は、遠隔ユニットと通信するためのデータ搬送パスおよび音声搬送パスの両方を有するセルラーネットワークを含む通信システムにおいて使用される呼び出し接続の方法である。本方法は、呼び出し試行を示す第１のＳＩＰ開始要求メッセージを遠隔ユニットに対してセルラーネットワークのデータ搬送パス上で送出することと、対応する開始メッセージを遠隔ユニットに対してセルラーネットワークの音声搬送パス上で送出することとを含む。
【０００８】
さらに他の局面は、電話スイッチであって、セッション開始プロトコル（ＳＩＰ）開始要求メッセージをセルラーネットワークのデータ搬送パス上で受信するための手段と、代理被呼者を特定する公衆交換電話網（ＰＳＴＮ）呼び出し開始をセルラーネットワークの音声搬送パス上で発呼者から受信するための手段と、発呼者に対応するコールレッグを被呼者に対応するコールレッグに切り換えて、それらの間の音声呼び出しを確立するための手段とを備える電話スイッチである。
【０００９】
さらに他の局面は、電話呼び出しを切り換える方法であって、セルラーネットワークのデータ搬送パス上で発呼者によって当初送信された、被呼者と発呼者とを特定するＳＩＰ開始要求メッセージを受信することと、代理被呼者を特定するＰＳＴＮ呼び出し開始を発呼者からセルラーネットワークの音声搬送パス上で受信することと、発呼者に対応するコールレッグを被呼者に対応するコールレッグに切り換えて、それらの間の音声呼び出しを確立することとを含む方法である。
【００１０】
さらなる局面は、電話接続を確立する方法であって、代理被呼番号を特定するＰＴＳＮ呼び出し開始メッセージをセルラー加入者装置から送出することと、実際の被呼番号を特定する開始要求メッセージをセルラー加入者装置からセルラーネットワークのデータ搬送パス上で送出することとを含む。
【００１１】
他の局面は、電話接続を確立するための装置であって、代理被呼番号を特定するＰＴＳＮ呼び出し開始メッセージを送出するための手段と、実際の被呼番号を特定する開始要求メッセージをセルラーネットワークのデータ搬送パス上で送出するための手段とを備える。
【００１２】
さらに他の局面は、電話接続を確立するための装置であって、識別子によって遠隔ユニットを特定する呼び出し開始メッセージを受信するための手段と、識別子とは異なるセルラー電話番号によって特定された遠隔ユニットに対してＰＳＴＮ呼び出し開始メッセージを送出するための手段と、ＳＩＰ開始要求メッセージをセルラーネットワークのデータ搬送パス上で遠隔ユニットに対して送出するための手段とを備える。
【００１３】
さらに他の局面は、電話接続を確立するための方法であって、識別子によって遠隔ユニットを特定する呼び出し開始メッセージを受信することと、識別子とは異なるセルラー電話番号によって特定された遠隔ユニットに対して呼び出し開始メッセージを送出することと、ＳＩＰ開始要求メッセージをセルラーネットワークのデータ搬送パス上で遠隔ユニットに対して送出することを含む。
【００１４】
さらに他の局面は、電話をかける方法であって、ソフトスイッチに関連する電話番号を被呼者として特定する呼び出し開始メッセージをセルラーネットワークの音声搬送パス上で送出することと、実際の被呼者を特定するＳＩＰ開始要求メッセージをセルラーのデータ搬送パス上でソフトスイッチに対して送出することとを含む。
【００１５】
他の局面は、電話をかけるための装置であって、ソフトスイッチに関連する電話番号を被呼者として特定する呼び出し開始メッセージをセルラーネットワークの音声搬送パス上で送出するための手段と、実際の被呼者を特定するＳＩＰ開始要求メッセージをセルラーのデータ搬送パス上でソフトスイッチに対して送出するための手段とを含む。
【００１６】
ＳＩＰ信号伝達をセルラーのデータ搬送パス上で行うように構成され、かつセルラーシステムに関連した媒体ゲートウェイに対してＩＰ形式のＰＳＴＮ信号伝達を行うように構成されたソフトスイッチを備える、通信システムである。
【００１７】
他の局面は、通信システムであって、ＳＩＰ信号伝達をセルラーのデータ搬送パス上で行い、かつＩＰ形式のＰＳＴＮ信号伝達をＩＰネットワークおよびＩＰネットワークに結合された媒体ゲートウェイ上で行い、かつＩＰ形式のＰＳＴＮ信号伝達を受信して、ＩＰ形式のＰＳＴＮ信号伝達を標準的なＰＳＴＮ信号伝達に変換するように構成された電話スイッチを備える。
【００１８】
さらに他の局面は、遠隔ユニットまたは電話スイッチなどの装置であって、被呼者と発呼者とを特定するＳＩＰ開始要求メッセージをセルラーネットワークのデータ搬送パス上で受信するための手段と、呼び出し開始メッセージをセルラーネットワークの音声搬送パス上で受信するための手段と、ＳＩＰ開始要求メッセージを呼び出し開始メッセージに相関させるための手段とを備える。
【００１９】
他の局面は、遠隔ユニットまたは電話スイッチなどの装置であって、被呼者と発呼者とを特定するＳＩＰ開始要求メッセージをセルラーネットワークのデータ搬送パス上で受信するための手段と、それに応答して、呼び出し開始メッセージをセルラーネットワークの音声搬送パス上で受信するための手段とを備える。
【００２０】
さらなる局面は、呼び出し処理の方法であって、被呼者と発呼者とを特定するＳＩＰ開始要求メッセージをセルラーネットワークのデータ搬送パス上で受信することと、呼び出し開始メッセージをセルラーネットワークの音声搬送パス上で受信することと、ＳＩＰ開始要求メッセージを呼び出し開始メッセージに相関させることとを含む。
【００２１】
他の局面は、呼び出し処理の方法であって、被呼者と発呼者とを特定するＳＩＰ開始要求メッセージをセルラーネットワークのデータ搬送パス上で受信することと、第１の応答呼び出し開始メッセージをセルラーネットワークの音声搬送パス上で発呼者に送信することと、第２の応答呼び出し開始メッセージを発呼者へ送出することとを含む。
【００２２】
さらに他の局面は、呼び出し処理の方法であって、発呼者を特定するＳＩＰ開始要求メッセージをセルラーネットワークのデータ搬送パス上で受信することと、応答呼び出し開始メッセージをセルラーネットワークの音声搬送パス上で自動的に送出することと、ユーザに対して通知を与えるようにユーザインターフェイスに対して命令することと、ユーザの受け入れの明示を待つこととを備える。
【００２３】
他の局面は、電話呼び出しを切り換える方法であって、被呼者と発呼者とを特定するＳＩＰ開始要求メッセージをセルラーネットワークのデータ搬送パス上で受信することと、被呼者に対して音声呼び出しの第１のレッグを開始することと、発呼者に対して音声呼び出しの第２のレッグを開始することと、第１のレッグを第２のレッグに切り換えて、その間の音声呼び出しを確立することとを含む。
【００２４】
局面の１つは、電話呼び出しを切り換える装置であって、被呼者と発呼者とを特定するＳＩＰ開始要求メッセージをセルラーネットワークのデータ搬送パス上で受信するための手段と、被呼者に対して音声呼び出しの第１のレッグを開始するための手段と、発呼者に対して音声呼び出しの第２のレッグを開始するための手段と、第１のレッグを第２のレッグに切り換えて、その間の音声呼び出しを確立するための手段とを備える。
【００２５】
さらに他の局面は、遠隔ユニットであって、情報をセルラーネットワークのデータ搬送パスおよび音声搬送パス上で受信するように構成されたセルラーフロントエンドと、携帯電話フロントエンドに結合され、データ搬送パス上で受信されたＳＩＰメッセージ伝達を処理するように構成されたＳＩＰプロセッサモジュールと、データ搬送パス上で受信されたＳＩＰメッセージ伝達を音声搬送パス上で受信された音声呼び出しに相関させるためのコントローラとを備える。
【００２６】
さらに他の局面は、登録の方法であって、無線構内情報通信網の受信可能領域からの離脱を検出することと、離脱に応答して、登録メッセージをセルラーネットワークのデータ搬送パス上で送出することとを含む。
【００２７】
さらに他の局面は、ソフトスイッチであって、インターネットプロトコルポートと、ＰＳＴＮポートと、インターネットポートとＰＳＴＮポートとに結合され、ＩＰ上での音声通信と、従来の音声形式の信号伝達との間で変換するように構成された中継ゲートウェイと、インターネットポートとＰＳＴＮポートとに結合され、ＩＰ形式のＰＳＴＮ制御信号伝達と、従来のＰＳＴＮ制御信号伝達との間で変換するように構成された信号伝達ゲートウェイとを備える。
【００２８】
さらなる局面は、セルラー加入者装置からの呼び出し開始の方法であって、電話をかけようというユーザの意思の明示を受信することと、所定の代理番号に対してセルラー呼び出しを開始することと、その結果、ユーザから電話番号の明示を受信することとを含む。
【００２９】
いっそうさらなる局面は、セルラー加入者装置からの呼び出し開始の方法であって、電話をかけようというユーザの意思の明示を受信することと、セルラー加入者装置に対して呼び出しが開始することを信号で知らせるＩＰメッセージを、受信スイッチに対してセルラーネットワークのデータ搬送パス上で送出することと、その結果、電話番号の明示を受信することとを含む。
【発明を実施するための最良の形態】
【００３０】
詳細な説明
典型的な職場環境においては、各ユーザには、高性能の卓上電話が提供されている。これらの電話は、ユーザに対して無数の機能を提供するものであり、例えば、内線番号についての短縮ダイヤルの使用機能、通話を他の内線番号、外線番号、またはボイスメールに転送すること、邪魔をしないでくださいという機能を呼び出すこと、未応答の通話のロールオーバをプログラムすること、ボタン一発でボイスメールを取り出すこと、電話会議を確立することなどがある。これらの機能は、卓上電話からは簡単にアクセスされるが、ユーザが旅行中、ランチで外出、または事務所のドアからほんの数ブロック離れたところにいるというように、卓上電話から離れたところにいる場合には、使用できない。
【００３１】
いくつかの無線システムは、音声をＩＰに載せる技術（ＶｏＩＰ）などの構内インターネットプロトコル（ＩＰ）サービスを有するように開発されてきた。たとえば、ＩＥＥＥによって広められている規格８０２．１１ｂは、室内無線ＩＰ対応の受信可能範囲を提供するネットワークの多くの局面を規定する一般的な企画である。単一の８０２．１１ｂのアクセスポイントは、直径約１００メートルの受信可能領域を提供する。これらのアクセスポイントを格子状に互いにネットワーク接続することにより、シームレスな受信可能範囲を局地的な地域上に提供して、無線構内情報通信網（ＷＬＡＮ）を作成することができる。
【００３２】
米国ニューヨーク州ホルツビルのシンボルテクノロジーズ社、米国コロラド州ボールダーのスペクトラリンク社、およびその他数社は、無線音声トラフィックをそのようなシステム上で搬送するために使用することができる無線送受話器を開発している。例えば、シンボルテクノロジーズ社は、ネットビジョンホンを開発している。ネットビジョンホンは、ＩＴＵ規格Ｈ．３２３を使用して８０２．１１ｂのＬＡＮ設備上でＶｏＩＰ通信を提供する。ネットビジョンホンは、アナログ音声を、ＴＣＰ／ＩＰプロトコルを介して標準データネットワーク上を送られる圧縮されたデジタルパケットに変換する。
【００３３】
図１は、ネットワークに実装される無線のＩＰ上での音声通信機能を示す。ＶｏＩＰ無線電話１００は、符号化されたＩＰパケットをアクセスポイント１０２Ａ〜１０２Ｎのうちの１つに通信する。アクセスポイント１０２Ａ〜１０２Ｎは、ＷＬＡＮ１０２の物理的な直接受信可能区域を提供し、ＩＰパケットを構内交換機（ＰＢＸ）電話スイッチ１０４に対しておよびそこから渡す。ＰＢＸスイッチ１０４がＩＰ対応装置である場合には、ＩＰパケットを直接受け入れる。ＰＢＸスイッチ１０４が従来の機械である場合には、ＶｏＩＰゲートウェイ（図示せず）を使用して、アクセスポイント１０２Ａ〜１０２ＮをＰＢＸスイッチ１０４に対してインターフェイス接続することができる。ＰＢＸスイッチ１０４は、呼び出し制御およびルーティング機能を提供する。ＰＢＸスイッチは、公衆交換電話網（ＰＳＴＮ）１０６に対してまたはＩＰバックボーン１０８上で呼び出しをルーティングすることができる。典型的には、そのようなシステムは、卓上電話１１２などの有線の卓上電話に対してサービスを提供する有線構内情報通信網１１０をも含む。有線構内情報通信網１１０は、ＩＰ対応あってもよく、従来のシステムであってもよく、または、それらの組み合わせであってもよい。
【００３４】
ＰＢＸスイッチ１０４がＩＰ対応電話システムの一部である場合には、ＰＢＸスイッチ１０４は、セッション開始プロトコル（ＳＩＰ）などの制御信号を使用して、呼び出し制御処理を提供してもよい。ＳＩＰは、呼び出し確立、呼び出し自動転送、発呼および被呼番号配信（発呼者ＩＤを提供するためによく使用される）、遠隔ユニット機能交渉、発呼者および被呼者認証、発呼および被呼装置認証、呼び出し転送、会議電話、および他の呼び出し機能を提供するために必要なプロトコル機能を規定する。しかしながら、シスコ社が開発して具体化したＨ．３２３ＩＰ電話モデルである、スキニーステーションプロトコルのような他の信号伝達機構を使用することもできる。そのようなシステムを使用して、無線電話１００は、ユーザがＷＬＡＮ１０２の受信可能全領域を動き回る際に卓上電話１１２で使用可能なのと同一の機能のうちのいくつかを提供することができる。しかしながら、いったんユーザがＷＬＡＮ１０２の受信可能領域を出てしまうと、ユーザの無線電話１００は、もはや呼び出しを受信することはできなくなる。ユーザがセルラーを持っている場合には、ＰＢＸスイッチ１０４に対して、着信呼をセルラーに自動転送するようにプログラムすることができる。しかしながら、単純な転送では、ユーザが慣れ親しんできた卓上の機能は提供されない。加えて、ユーザは、２つの異なる装置を携帯する必要がある。
【００３５】
図２は、ＰＳＴＮ１０６と、ＩＰバックボーン１０８とを含む、関連付けられ、かつ相互接続されたネットワークの集合体を示すネットワーク図である。構内ネットワーク１３９は、アクセスポイント１３２Ａ〜１３２Ｎを有するＷＬＡＮ１３２を含んでもよい。ＷＬＡＮ１３２は、ＩＰ対応システムであってもよい。以下の例では、ＷＬＡＮ１３２は、８０２．１１ｂ準拠のシステムである。しかしながら、他の実施形態においては、他のＩＰ対応無線システムを使用してもよい。例えば、他の適切な無線構内ネットワーク規格には、８０２．１１ｇ、８０２．１１ａ１、家庭用無線通信（ＨｏｍｅＲＦ）、ブルートゥース、およびハイパーＬＡＮが含まれる。加えて、将来市場に出回るであろう新たなＩＰ対応システムを使用することもできる。
【００３６】
ルータ１４８は、ＷＬＡＮ１３２と、ＩＰバックボーン１０８と、無線ではない構内情報通信網（ＬＡＮ）１３８とに結合されている。例えば、ＬＡＮ１３８は、そのネットワーク上に卓上電話１３６などの卓上電話を含んでもよく、従来の有線のＩＰ対応ＰＢＸネットワークであってもよい。
【００３７】
ＩＰ対応のＰＢＸソフトスイッチ１３４は、ＩＰバックボーン１０８からルータ１４８を介して、構内ネットワーク１３９に結合される。ソフトスイッチは、ＰＳＴＮ１０６にも結合される。ソフトスイッチ１３４は、ＶｏＩＰサービスをＷＬＡＮ１３２と、例えばＩＰ卓上電話１３６を含む有線構内情報通信網１３８とに対して提供できる。ソフトスイッチ１３４は、ＰＢＸサービスを卓上電話１３６のようなユーザ装置に対して提供できる。
【００３８】
１つまたはそれ以上の広域通信網を、図２のセルラーネットワーク１４１によって代表的に表す。広域通信網は、セルラーネットワークとも称され、より特定的には、汎用パケット無線サービス（ＧＰＲＳ）を取り入れた移動通信のためのグローバルシステム（ＧＳＭ）のシステムであってもよい。しかしながら、他の広域ネットワークを使用してもよい。例えば、ＩＰデータ通信機能（例えば、ＣＤＭＡ  １ＸＲＴＴなどの）ＩＰデータ通信機能を有するＣＤＭＡセルラーネットワーク、日本のＮＴＴドコモ社のＩモードＩＰ対応サービスおよび同社の簡易型セルラーシステム上での音声サービス、モトローラ社のＩＤＥＮシステム上でのネクステル社の音声およびデータサービスを使用することができる。加えて、他の既存のまたは今後開発される、制御信号および音声情報をエンドユーザ装置に送信するための広域無線通信網を使用することもできる。
【００３９】
セルラーネットワーク１４１は、セルラーネットワーク１４１を制御する１つまたはそれ以上の従来の移動体切り換えセンター（ＭＳＣ）１４０を含み、ＰＳＴＮ１０８に対する接続を提供する。１つまたはそれ以上の基地局を、無線セルラー通信信号をユーザ装置へ送受信する基地局１４４によって代表的に表す。基地局は、レッグ１５２ＣによってＭＳＣ１４０に対してリンクされている。ＩＰバックボーン１０８は、ゲートウェイＧＰＲＳサポートノード（ＧＧＳＮ）と、さらにはサービングＧＰＲＳサポートノード（ＳＧＳＮ）とによって、セルラーネットワーク１４１に結合されており、これらのノードは、組み合わされたＳＧＳＮ／ＧＧＳＮ１４２として図２には示されている。図２に示すシステムの特徴の１つとして、一実施形態において、本システムは、セルラーのインフラストラクチャに対してなんら変化を要求せずに動作可能である。よって、ＭＳＣ１４０およびＳＧＳＮ／ＧＧＳＮ１４２は、技術上周知の標準的なやり方で動作する。このように、他の特徴に加えて、ＳＧＳＮ／ＧＧＳＮ１４２は、セルラーの基地局１４４の群と、ＩＰバックボーン１０８との間のゲートウェイとしての役割を果たす。
【００４０】
遠隔ユニットを、二重モード加入者装置１３０として図２に示す。加入者装置１３０は、ＷＬＡＮ１３２および広域セルラーネットワーク１４１上で通信することができる。二重モード加入者装置１３０がＷＬＡＮ１３２の受信可能領域内にある場合には、二重モード加入者装置１３０は、ＷＬＡＮ１３２に対してまたはそこからＶｏＩＰパケットを通信する。二重モード加入者装置１３０については、図７および８に関連して以下に詳細に説明する。
【００４１】
一実施形態において、各二重モード加入者装置１３０は、特定の卓上電話１３６に関連付けられる。各二重モード加入者装置１３０は、特定のユーザに関連付けることもできる。一実施形態において、ユーザは、二重モード加入者装置１３０の動作に関連付けられた設定を、二重モード加入者装置１３０、卓上電話１３６、またはコンピュータを通じて入力する。一実施形態において、卓上電話１３６は、ウェブブラウザを通じて制御されるＳＩＰ電話である。コンピュータに基づく制御を使用して、ユーザは、連絡リストの一連の記載をいくつかのカテゴリのうちの１つに当てはまるとして指定する。加えて、ユーザは、例えば、発呼者、呼び出し時間および／または日付、ユーザが現在使用しているのが現在卓上電話かまたは加入者装置か、およびユーザがいるのはＷＬＡＮ内かまたはセルラーネットワークかに基づいて、呼び出しの処理または対処のための規則を入力および／または選択することができる。ソフトスイッチ１３４は、連絡リストにアクセスして、呼び出し処理についてのカテゴリおよび規則を使用することができる。例えば、ソフトスイッチ１３４は、連絡リストおよびカテゴリを使用して、時間、発呼者が誰であるか、二重モード遠隔ユニットの位置、ユーザの位置などに基づいて、呼び出しを二重モード加入者装置１３０へルーティングすることができる。卓上電話１３６は、二重モード加入者装置１３０のためのドッキング局、バッテリ充電差込口などを含んでもよい。加えて、卓上電話１３６は、ＷＬＡＮ１３２の一部分となるように、アクセスポイント機能を実装してもよい。動作の一モードにおいて、ソフトスイッチ１３４は、二重モード加入者装置１３０を鳴らすかどうかに関わらず、すべての着信呼について卓上電話１３６を鳴らす。
【００４２】
二重モード加入者装置１３０がＷＬＡＮ１３２の受信可能領域内にある場合、着信呼は、ＷＬＡＮ１３２上で、二重モード加入者装置１３０へまたはそこからルーティングされうる。例えば、ソフトスイッチ１３４は、ＶｏＩＰ電話１５６からの着信ＶｏＩＰ呼び出しを二重モード加入者装置１３０に切り換えることができる。加えて、ソフトスイッチ１３４は、ＰＳＴＮ１０６にも結合されて、ＶｏＩＰゲートウェイとしての役割を果たして、従来の電話１５８などからの（典型的にはパルス符号変調（ＰＣＭ）された）従来のＰＳＴＮ音声形式の呼び出しを、ＩＰ対応二重モード加入者装置１３０に切り換える。
【００４３】
二重モード加入者装置１３０がＷＬＡＮ１３２の受信可能領域を離れる場合には、二重モード加入者装置１３０は、ＧＰＲＳが使用可能なＧＳＭしすてむのようなこういきセルラーネットワークを使用してソフトスイッチ１３４の管理の下、通信を開始する。セルラーネットワークを通じてのソフトスイッチ１３４と二重モード加入者装置１３０との接続は、２つの種類の双方向パスによって形成可能である。パス１５０Ａ〜１５０Ｄは、標準的なセルラーデータパスである。パス１５２Ａ〜１５２Ｄは、標準的なセルラー音声パスである。これらのパス１５０および１５２は、共に、一連のレッグによって構成される。
【００４４】
直感的に、音声搬送ＩＰパケット（ＶｏＩＰ搬送機構）は、標準的なセルラーデータ搬送パス（パス１５０など）上を送信可能であると考えるであろう。しかしながら、標準的なセルラーデータパスは、音声搬送ＩＰパケットを伝達するのに必要なサービス品質を提供するものではなく、他方で、従来のセルラー音声パス（パス１５２など）は、音声の効率的な送信のために最適化されてきたことは明白である。例えば、データ搬送パスの容量、遅延、およびジッタ特性は、エンドユーザが期待する品質での音声搬送ＩＰパケットの送信に向いていない。加えて、セルラーネットワークのデータ搬送パス上のＶｏＩＰデータの送信は、高度に最適化された音声搬送パスにおけるのと同程度には効率的ではなく、よって、貴重な無線リンク資源を効率的に使用するものではない。
【００４５】
ソフトスイッチ１３４は、レッグ１５０ＡによってＩＰバックボーン１０８に結合される。そして次に、ＩＰバックボーン１０８は、レッグ１５０ＢによってゲートウェイＧＰＲＳサポートノードに、さらにはサービングＧＰＲＳサポートノード（ＳＧＳＮ／ＧＧＳＮ）１４２に結合される。図２に示すシステムの特徴の一つは、一実施形態において、本システムが、セルラーのインフラストラクチャに対してなんら変化を要求せずに動作可能なことである。よって、ＳＧＳＮ／ＧＧＳＮ１４２は、技術上周知の標準的なやり方で動作する。このように、他の特徴に加えて、ＳＧＳＮ／ＧＧＳＮ１４２は、セルラー基地局１４４の群と、ＩＰバックボーン１０８との間のゲートウェイとしての役割を果たす。基地局１４４は、大きなセルラー直接受信可能区域に渡って分散されていてもよい。ＳＧＳＮ／ＧＧＳＮ１４２は、レッグ１５０Ｃによって基地局１４４に結合される。基地局１４４は、レッグ１５０Ｄによって二重モード加入者装置１３０を含むセルラー遠隔ユニットに無線結合され、一局面において、ＩＰパケットにおけるデータ情報を通信するために使用される。よって、双方向パス１５０は、ＩＰ要素から遠隔ユニットへの標準的なセルラーデータパスである。双方向パス１５０は、ソフトスイッチ１３４を、レッグ１５０ＡによってＩＰバックボーン１０８に接続し、レッグ１５０ＢによってＳＧＳＮ／ＧＧＳＮ１４２に接続し、レッグ１５０Ｃによって基地局１４４に接続し、レッグ１５０Ｄによって二重モード加入者装置１３０に接続する。
【００４６】
ユーザは、他のセルラーを可能にするデータ装置を所持してもよい。例えば、ユーザは、パームパイロット型装置、ブラックベリー型装置、ポケットＰＣ型装置、またはページャなどを所持してもよい。図２において、データ装置１５４は、ＳＩＰメッセージ伝達を、セルラーシステムのデータ搬送パス上などで送受信もできる。
【００４７】
ソフトスイッチ１３４は、レッグ１５２ＡによってＰＳＴＮ１０６に結合される。そして次に、ＰＳＴＮ１０６は、レッグ１５２Ｂによって従来の移動体切り換えセンター（ＭＳＣ）１４０に結合される。上記のように、図２のシステムの特徴の１つは、一実施形態において、本システムが、従来のＭＳＣ１４０を含むセルラーのインフラストラクチャに対してなんら変化を要求せずに動作可能なことである。よって、ＳＧＳＮ／ＧＧＳＮ１４２は、技術上周知の標準的なやり方で動作する。このように、他の特徴に加えて、従来のＭＳＣ１４０は、基地局１４４の群と、ＰＳＴＮ１０６との間の音声ゲートウェイとしての役割を果たす。従来のＭＳＣ１４０は、レッグ１５２Ｃによって基地局１４４に結合される。基地局１４４は、無線音声情報を、レッグ１５２Ｄ上で二重モード加入者装置１３０と通信する（図２においては、レッグ１５０Ｄおよびレッグ１５２Ｄは、共通の「雷」アイコンで示されているが、パス自体は、符号化、アクセス手法、データ形式などの関連から互いに異なることがある）。
【００４８】
図２に示す実施形態において、ソフトスイッチ１３４は、セントレックスモデルにおいて実施可能であり、それによって、設備のソフトスイッチ機能を実行する重要な部分が、サービスが提供される構内から外れることになる。セントレックスモデルは、ＩＰ対応および従来の音声システムにおいて共通して使用されて、顧客に対してＰＢＸ機能を提供する。ＩＰセントレックスモデルにおいて、２人のＶｏＩＰ当事者間の通話について、音声搬送ＩＰパケットは、２人の当事者間の効率的なパス上にルーティングされる。よって、音声搬送トラフィックストリームは、ソフトスイッチ１３４にルーティングされることはあまりない。音声通話に関するＷＬＡＮ１３２および有線構内情報通信網１３８の信号伝達パケット（ＳＩＰパケットなど）は、周知に機構に従い、常駐していないソフトスイッチ１３４を通じかつ構内ルータ１４８を介してルーティングできる。実施の仕方によっては、周知の手法に従い、ソフトスイッチ１３４は分散され、設備は１箇所以上に設置される。
【００４９】
他の実施形態においては、ソフトスイッチ機能は、コロケーション施設に設けられ、電話局に設置され、またはセルラーのインフラストラクチャにより密接に統合される。さらに他の実施形態においては、ソフトスイッチ機能は、セルラー事業者に焦点がより当てられたものであってもよく、例えば、事業者が設けたモデルに属していてもよい。
【００５０】
図３は、オンサイトモデルにおいて動作するネットワークを示し、オンサイトのソフトスイッチ３１０が、ＷＬＡＮ１３２および有線構内情報通信網１３８の構内に設置される。図３によれば、双方向パス３１４Ａ〜３１４Ｄは、ＩＰ要素から遠隔ユニットへの標準的なセルラーデータパスであって、ソフトスイッチ３１０からＩＰバックボーン１０８へはレッグ３１４Ａにより、ＳＧＳＮ／ＧＧＳＮ１４２へは３１４Ｂにより、基地局１４４へはレッグ３１４Ｃにより、３１４Ａ〜３１４Ｄは、二重モード加入者装置１３０へはレッグ３１４Ｄにより結ばれる。双方向パス３１６Ａ〜３１６Ｄは、ＰＳＴＮ要素から遠隔ユニットへの標準的なセルラー音声パスであって、ソフトスイッチ３１０からＰＳＴＮ１０６へはレッグ３１６Ａにより、従来のＭＳＣ１４０へはレッグ３１６Ｂにより、基地局１４４へはレッグ３１６Ｃにより、二重モード加入者装置１３０へはレッグ３１６Ｄにより結ばれる。
【００５１】
図４は、事業者が設けたモデルにおいて動作するネットワークを示す。図４において、事業者が設けたソフトスイッチ３２０は、レッグ３２２ＡによってＳＧＳＮ／ＧＧＳＮ１４２に対して、およびレッグ３２４Ａによって従来のＭＳＣ１４０に対して直接結合される。この場合、双方向パス３２２は、ＩＰ要素から遠隔ユニットへの標準的なセルラーデータパスであって、ソフトスイッチ３２０からＳＧＳＮ／ＧＧＳＮ１４２へはレッグ３２２Ａにより、基地局１４４へはレッグ３２２Ｂにより、二重モード加入者装置１３０へはレッグ３２２Ｃにより結ばれる。双方向パス３２４は、ＰＳＴＮ要素から遠隔ユニットへの標準的なセルラー音声パスであって、ソフトスイッチ３２０から従来のＭＳＣ１４０へはレッグ３２４Ａにより、基地局１４４へはレッグ３２２Ｂにより、二重モード加入者装置１３０へはレッグ３２４Ｃにより結ばれる。一実施形態において、ソフトスイッチ３２０は、ＩＰバックボーン１０８がＳＧＳＮ／ＧＧＳＮ１４２に結合されるのと同様のやり方で、標準的なＩＰ接続ポートによってＳＧＳＮ／ＧＧＳＮ１４２に結合される。一実施形態において、ソフトスイッチ３２０は、標準的なＰＳＴＮ接続ポートによって従来のＭＳＣ１４０に結合される。
【００５２】
以下の情報は特に図２を参照するが、同様の動作は、以下に述べる図３および４、ならびに図６および１８にも直接適用することができる。図２を再び参照して、二重モード加入者装置１３０についての着信呼開始要求がソフトスイッチ１３４においてＰＳＴＮ１０６、ＩＰバックボーン１０８、または内部ネットワークから受信されると、ソフトスイッチ１３４は、呼び出しを二重モード加入者装置１３０に切り換える。二重モード加入者装置１３０がＷＬＡＮ１３２の受信可能領域内にある場合には、ソフトスイッチ１３４は、呼び出しを二重モード加入者装置１３０に対してＷＬＡＮ１３２上でルーティングする。上記のように、呼び出しは、音声搬送トラフィックストリームと、ＳＩＰ信号伝達メッセージとからなり、両方共、ＷＬＡＮ１３２上を周知の手法にしたがってルーティングされる。
【００５３】
二重モード加入者装置１３０が基地局１４４の受信可能領域内にあり、かつＷＬＡＮ１３２の受信可能領域外にある場合には、ソフトスイッチ１３４は、呼び出しを双方向パス１５０および１５２によって二重モード加入者装置１３０に切り換える。音声搬送トラフィックストリームは、パス１５２上で切り換えられる。ＳＩＰ信号伝達メッセージは、パス１５０上でルーティングされる。パス１５２上のこのＳＩＰ信号伝達は、強化された機能を遠隔ユニットがＷＬＡＮの受信可能領域外にある場合に可能にする要因の１つである。
【００５４】
簡単に述べると、二重モード加入者装置１３０についての着信呼がソフトスイッチ１３４に受信されると仮定する。以下により詳細に説明するように、ソフトスイッチ１３４は、呼び出しをＷＬＡＮ１３２、有線構内情報通信網１３８、セルラーシステム、またはそれらの組み合わせ（呼び出しは、様々なシステムを通じて同時に切り換えられてもよいので）のいずれに切り換えるかを決定する。呼び出しをセルラーシステム内の二重モード加入者装置１３０に切り換えるべきだと決定した場合には、ソフトスイッチ１３４は、二重モード加入者装置１３０に知らせるＳＩＰ信号伝達メッセージを作成する。この知らせには、ソフトスイッチ１３４が受信した情報に基づく着信呼または発呼者についての情報と、ユーザが記憶させた設定内の情報と、その両方とが含まれる。また、ソフトスイッチ１３４は、標準的な呼び出し開始処理を開始して、パス１５２によるセルラーネットワーク上の音声通話を確立する。二重モード加入者装置１３０は、ＳＩＰ信号伝達メッセージを音声搬送パス上で受信した呼び出し開始要求に相関させ、典型的には、この情報をユーザに提示する。
【００５５】
図５は、ソフトスイッチ１３４の機能ブロック図である。ソフトスイッチ１３４は、常駐していないＩＰ対応ＰＢＸとして配置することができる。また、ソフトスイッチ１３４は、ゲートウェイによって支援されたソフトスイッチ３４４（以下で説明）、事業者が設けたソフトスイッチ３２０、およびオンサイトのソフトスイッチ３１０としてとして配置することもできる。ソフトスイッチアーキテクチャの主な相違点は、典型的には、外部接続の構成である。
【００５６】
図５において、ソフトウェアスイッチの様々な局面を、モジュールおよび／または機能と称する。本明細書において使用される「モジュール」および「機能」という用語は、所定のタスクを行うソフトウェアまたはハードウェア要素を意味するが、それに限定されるものではない。モジュールは、アドレス指定可能な記憶媒体上に常駐するように都合よく構成されてもよく、１つまたはそれ以上のプロセッサを実行するように構成されてもよい。モジュールは、汎用集積回路（ＩＣ）、書き込み可能ゲートアレイ（ＦＰＧＡ）、または特定用途向け集積回路（ＡＳＩＣ）と共に全部または一部が実施されてもよい。よって、モジュールには、例えば、ソフトウェア要素、オブジェクト指向のソフトウェア要素、クラス要素、タスク要素などの要素、処理、機能、属性、手順、サブルーチン、プログラムコードのセグメント、ドライバ、ファームウェア、マイクロコード、回路、データ、データベース、データ構造、テーブル、アレイ、および変数を含んでもよい。要素およびモジュールに用意された機能は、組み合わされてより少数の要素およびモジュールとなってもよく、またはさらに分割されてさらなる要素およびモジュールとなってもよい。加えて、要素およびモジュールは、コンピュータ、コンピュータサーバ、アプリケーションを可能とするスイッチまたはルータなどのデータ通信インフラストラクチャ設備、もしくは公用または私用の電話スイッチまたは構内交換機（ＰＢＸ）などの電気通信設備を含む、数多くの様々なプラットフォームにおいて都合よく実施されてもよい。これらのいずれの場合においても、選択されたプラットフォームに固有のアプリケーションを書くことによって、もしくはプラットフォームを１つまたはそれ以上の外部アプリケーションエンジンにインターフェイス接続することによって、実施されてもよい。
【００５７】
ソフトスイッチ１３４内において、中継ゲートウェイモジュール１６２は、通話を物理的に終了させ、ＰＳＴＮ１０６およびＩＰバックボーン１０８上の音声搬送トラフィックストリームの送受信に関連する他の物理層サービスを提供する。例えば、中継ゲートウェイ１６２は、ＰＳＴＮ１０６からの音声通話を終了させ、音声データを圧縮およびパケット化して、圧縮された音声パケットをＩＰバックボーン１０８に配信する。同様に、中継ゲートウェイ１６２は、ＩＰバックボーン１０８から受信された音声搬送トラフィックストリームについて逆の機能を行う。中継ゲートウェイ１６２は、媒体ゲートウェイコントローラモジュール１６４の管理下で動作する。
【００５８】
信号伝達ゲートウェイモジュール１６０は、切り換えられた回路ＰＳＴＮ１０６と、パケット切り換えされたＩＰバックボーン１０８との間の網間接続を提供する。また、信号伝達ゲートウェイ１６０は、媒体ゲートウェイコントローラ１６４を、従来のＰＳＴＮスイッチの呼び出し制御機能またはサービス処理機能で支援する。また、信号伝達ゲートウェイ１６０は、媒体ゲートウェイコントローラ１６４の制御下で動作する。
【００５９】
一実施形態において、信号伝達ゲートウェイ１６０および中継ゲートウェイ１６２は、単一の要素として実施され、共通のデジタル信号処理器脳によって実施される。他の実施形態において、これらは互いにより分離される。
【００６０】
媒体ゲートウェイコントローラモジュール１６４は、ソフトスイッチ１３４における資源の登録および管理を扱う。媒体ゲートウェイコントローラ１６４は、ＰＢＸサービスをＷＬＡＮ１３２と、有線の構内情報通信網１３８とに提供する。また、媒体ゲートウェイコントローラ１６４は、図５に要素１７０〜１７８として示す追加のモジュール上の管理を提供し、またそれらのモジュールを含む。媒体ゲートウェイコントローラ１６４内において、呼び出し制御および信号伝達機能モジュール１７０は、呼び出し状態を維持して、ＩＰバックボーン１０８に対しておよびそこから媒体ゲートウェイコントローラ１６４によって直接受信および出力できるＳＩＰメッセージを処理する。接続セッション管理器モジュール１７２は、中継ゲートウェイ１６２によって終了された各物理的な中継線の管理を含むＰＳＴＮ信号伝達の状態と、ＰＣＭ対応トラフィックストリームと、ＩＰ対応トラフィックストリームとの間の相関とを維持する。アクセスセッションおよび移動管理器モジュール１７４は、ユーザおよび加入者装置の位置を追跡する。動作支援システム（ＯＳＳ）エージェントモジュール１７６は、ソフトスイッチ管理者によって使用される制御および監視インターフェイスを提供する。例えば、ＯＳＳエージェント１７６は、課金システム、加入者提供システムなどとインターフェイス接続する。第３者アプリケーションゲートウェイモジュール１７８はコンテンツ配信サービス、ボイスメールサービス、および典型的にはこの領域外に設けられたユーザ情報データベース（上述の連絡リスト情報および対応のカテゴリなど）などのアプリケーションとインターフェイス接続する。
【００６１】
信号伝達ゲートウェイ１６０、中継ゲートウェイ１６２、および媒体ゲートウェイコントローラ１６４は、ソフトスイッチ１３４内において互いに結合される。一実施形態において、これら３つの要素は、ＳＩＰ，ＳＩＧＴＲＡＮ、媒体ゲートウェイ制御プロトコル（ＭＧＣＰ）、メガコ、またはそれらの組み合わせを使用して、互いに通信する。ＳＩＧＴＲＡＮ（信号伝達転送）は、インターネットプロトコルに基づく次世代ネットワーク（ＮＧＮ）の一部である。これは、ＩＳＤＮ、ＳＳ７、およびＶ５などの信号伝達トラフィックをＩＰネットワーク上で転送するために設計されている。また、ＳＩＧＴＲＡＮは、ＶｏＩＰアプリケーションにも使用される。メガコは、媒体ゲートウェイコントローラなどの呼び出し制御要素と、欧州電気通信標準化機構（ＥＴＳＩ）のタイフォン（ＴＩＰＨＯＮ）によって提案され、かつインターネット技術標準化委員会（ＩＥＴＦ）によって採用されたた分解されたＨ．３２３ゲートウェイアーキテクチャにおける媒体ゲートウェイなどの媒体処理要素との間のインターフェイスを規格化する。テルコーディア社によって開発されたレベル３通信であるＭＧＣＰは、電話回線（ＰＳＴＮ）上で搬送される信号をインターネットまたは他のパケットネットワーク上で搬送されるデータパケットに変換するための旧来のＨ．３２２規格と競い合ういくつかの制御および信号伝達規格のうちの１つである。
【００６２】
典型的には、ＰＳＴＮ１０６は、従来のＰＣＭ上の音声接続で中継ゲートウェイ１６２に結合される。ＰＳＴＮ１０６は、典型的には、ＩＳＵＰまたＱ．９３１などの共通チャンネル信号伝達プロトコルを使用して、信号伝達ゲートウェイ１６０に結合される。ＩＳＤＮユーザ部（ＩＳＵＰ）は、ＰＳＴＮ上で音声およびデータ呼び出しを搬送する中継回路を設定、管理、および解放するために使用されるプロトコルおよび手順を規定する。Ｑ．９３１／３２は、ＯＳＩ／ＩＳＯ参照モデルにおける層であり、信号伝達を制御するために設計されたものである。ユーザとＰＳＴＮネットワークとの間の接続を確立、維持、および解放するために使用される。
【００６３】
中継ゲートウェイ１６２は、ＶｏＩＰ（ＲＴＰ）などのＶｏＩＰプロトコルを使用してＩＰバックボーン１０８と通信する。ＲＴＰ（リアルタイムん転送制御プロトコル）は、媒体通信の統計情報を提供する。媒体ゲートウェイコントローラ１６４は、ＳＩＰまたはＨ．３２３を使用してＩＰバックボーン１０８と通信する。Ｈ．３２３は、国際電気通信連合（ＩＴＵ）が承認した勧告であって、音声および映像データがどのようにインターネットなどのパケット対応ネットワークに渡って通信されるのかを規定する。
【００６４】
図６は、ソフトスイッチと移動体切り換えセンターとの間に媒体ゲートウェイを搭載するネットワークのネットワーク図である。図６において、媒体ゲートウェイ３４０は、ソフトスイッチ３４４と、従来のＭＳＣ１４０との間のゲートウェイとしての役割を果たして、拡張された機能を提供する。媒体ゲートウェイ３４０は、新たなパス３４２Ａ〜３４２Ｅを導入する。ソフトスイッチ３４４は、レッグ３４２によってＩＰバックボーン１０８に結合され、ＩＰバックボーン１０８は、さらにレッグ３４２Ｂによって媒体ゲートウェイ３４０に結合され、媒体ゲートウェイ３４０は、レッグ３４２Ｃによって従来のＭＳＣ１４０に結合され、従来のＭＳＣ１４０は、レッグ３４２Ｄによって基地局１４４に結合され、さらに基地局１４４は、レッグ３４２Ｅによって二重モード加入者装置１３０に結合される。レッグ３４２Ｄおよび１５２Ｃと、レッグ３４２Ｅおよび１５２Ｄは、パス１５２および３４２の両方に共通であって、各パスにおいて同様の機能を行う。
【００６５】
図１７は、媒体ゲートウェイ３４０のブロック図である。図５と同様に、媒体ゲートウェイの様々な局面は、モジュールと称され、当該用語について意図されたのと同様の意味を有する。中継ゲートウェイモジュール３８０は、ＶｏＩＰパケットと、従来の音声形式の信号伝達との間の変換などの図５の中継ゲートウェイモジュール１６２と同様の機能を行う。信号伝達ゲートウェイモジュール３８４は、信号伝達ゲートウェイ１６０と同様の機能を行う。加えて、信号伝達ゲートウェイ３８４は、媒体ゲートウェイ３４０から受信したＩＰ形式のＰＳＴＮ制御信号伝達を標準的なＰＳＴＮ信号伝達に変換して、従来のＭＳＣ１４０に出力する。一実施形態において、信号伝達ゲートウェイ３８４は、ソフトスイッチ３４４からＩＰポートを渡って受信した命令に応答して、ＰＳＴＮポート上の疑似発呼者ＩＤ識別子を送信するようにも構成される。中継ゲートウェイ３８０および信号伝達ゲートウェイ３８４は、図６に示すレッグ３４２Ｃによって従来のＭＳＣ１４０に結合される。同様に、中継ゲートウェイ３８０および信号伝達ゲートウェイ３８４は、両方共、図６に示すレッグ３４２ＢによってＩＰバックボーン１０８に結合される。
【００６６】
ソフトスイッチ３４４が、呼び出しを二重モード加入者装置１３０へ切り換える場合に、セルラーシステムの受信可能領域内にある場合に、遠端装置がＰＳＴＮ１０６に結合されている場合には、ソフトスイッチ３４４は、従来の音声搬送信号をＶｏＩＰパケットに変換して、レッグ３４２Ａおよび３４２Ｂ（図６参照）によって媒体ゲートウェイ３４０へ転送する。媒体ゲートウェイ３４０（特に、図１７に示す実施形態においては、中継ゲートウェイモジュール３８０）は、ＶｏＩＰパケットを従来の信号に変換して、レッグ３４２Ｃによって従来のＭＳＣ１４０に提供する。加えて、ソフトスイッチ３４４は、標準的なＰＳＴＮ呼び出し制御信号伝達を、レッグ３４２Ａおよび３４２Ｂによって媒体ゲートウェイ３４０に対してＩＰ形式で送出することもできる。媒体ゲートウェイ３４０（特に、図１７に示す実施形態においては、信号伝達ゲートウェイモジュール３８４）は、標準的なＰＳＴＮ信号伝送に変換して、従来のＭＳＣ１４０に対してレッグ３４２Ｃによって提供することができる。
【００６７】
遠端装置がＶｏＩＰ電話である場合には、ソフトスイッチ３４４は、ＩＰ形式の制御信号伝達をレッグ３４２Ａおよび３４２Ｂに沿って媒体ゲートウェイ３４０送出する。また、遠端装置は、標準的なＩＰルーティング機構を離床して、ＩＰバックボーン１０８によって、媒体ゲートウェイ３４０へまたはそこから、直接制御信号伝達をルーティングすることもできる。ＶｏＩＰパケットを媒体ゲートウェイ３４０に対して直接ルーティングして、従来の音声搬送信号に変換することもできる。例えば、音声搬送ＶｏＩＰパケットを、卓上電話１３６から構内ルータ１４８を通じてレッグ３４２によって媒体ゲートウェイ３４０にルーティングすることもできる。媒体ゲートウェイ３４０は、典型的には、標準的なＰＳＴＮ接続ポートによって従来のＭＳＣ１４０に結合される。
【００６８】
図６に示すネットワークと、図４に示す事業者が設けたネットワークの利点は、それぞれレッグ３４２Ｃおよびレッグ３４２Ａによって従来のＭＳＣ１４０に対して直接接続するので、ＰＳＴＮ１０６を回避することにより、よりおおきな柔軟性が得られることである。従来のＭＳＣ１４０は、レッグ３４２Ｃおよび３２４Ａ上の信号をＰＳＴＮ信号伝達とみなすように構成できる。事業者のソフトスイッチ３２０および媒体ゲートウェイ３４０は、データを呼び出しストリームに挿入、疑似発呼者ＩＤ情報などの挿入などの標準的なＰＳＴＮ信号伝達に代えて、カスタマイズされた信号伝達を生じさせるように構成できる。このようなカスタマイズの例を以下に示す。
【００６９】
図７は、二重モード加入者装置１３０の例の代表図である。図示の実施形態において、二重モード加入者装置１３０は電子メールおよびカレンダーなどの他の機能も搭載している。二重モード加入者装置１３０は、スピーカ２００と、マイクロフォン２０２とを有する。二重モード加入者装置１３０は、ディスプレイ２０４も有する。数個のソフトキー２０６Ａ〜２０６Ｎが、ディスプレイ２０４と関連付けられる。選択肢を有するスクロールホイール２１２を使用して、様々なメニューおよび選択オプションをスクロールすることもできる。加えて、二重モード加入者装置１３０は、キーパッド２０８と、規定された機能キー２１０Ａ〜２１０Ｎとを有する。この図は、極めて代表的なものであり、加入者装置についての数多くの他の構成および形成要素が、当該技術において周知である。
【００７０】
図８は、二重モード加入者装置１３０の機能ブロック図である。二重モード加入者装置１３０は、無線リンク信号をＷＬＡＮ１３２上で送受信するＷＬＡＮフロントエンドモジュール４００を有する。ＷＬＡＮフロントエンド４００は、信号のアップコンバートおよびダウンコンバートと、ベースバンドおよび媒体アクセス制御（ＭＡＣ）層機能とを提供する。例えば、ＷＬＡＮフロントエンド４００は、米国カリフォルニア州アーバインのインターシル社から提供されたＰＲＩＳＭ３チップセットのような市販のＷｉＦｉ集積回路およびソフトウェアを使用して実施できる。ＷＬＡＮフロントエンド４００は、加入者装置制御モジュール４１０に結合され、かつそれによって制御される。ＷＬＡＮフロントエンド４００は、ＷＬＡＮ上で受信された情報を加入者装置制御モジュール４１０へ出力し、かつ、ＷＬＡＮ上で送信する情報を加入者装置制御モジュール４１０から受信する
セルラーフロントエンドモジュール４０２は、セルラーネットワーク上での送受信のためのセルラー加入者装置またはセルホンの機能を提供する。また、セルラーフロントエンドモジュール４０２は、加入者装置制御モジュール４１０から情報を受信して、当該情報をデータ搬送および音声搬送チャンネル上で基地局１４４に対して送出する。米国ニュージャージー州マリーヒルのルーセントテクノロジー社は、ＧＳＭ参照設計パッケージを販売しており、このパッケージは、製造業者がルーセント社の第１およびそれ以降のＧＳＭ送受話器を開発するのに必要なソフトウェアツール、教育およびサポートのすべてを含むデジタル信号プロセッサ（ＤＳＰ）技術周辺を基礎としており、このパッケージを使用してセルラーフロントエンドモジュール４０２を製作することができる。同様に、米国カリフォルニア州サンディエゴのクアルコム社は、ＣＤＭＡ対応のセルラーネットワークについての同様の設計、チップ、および情報を提供しており、これらを使用してセルラーフロントエンドモジュール４０２を製作することができる。セルラーフロントエンドモジュール４０２は、データ搬送および音声搬送チャンネルの両方上で基地局１４４から無線リンク信号を受信し（図２、３、４、および６参照）、それに含まれる情報を抽出して、加入者装置制御モジュール４１０へ渡す。
【００７１】
加入者装置制御モジュール４１０は、二重モード加入者装置１３０に対して制御機能を提供する。加入者装置制御モジュール４１０は、ユーザインターフェイス４１２（図７のディスプレイ２０４、ソフトキー２０６Ａ〜２０６Ｎ、キーパッド２０８など）、マイクロフォン２０２、およびスピーカ２００への入力を提供し、かつそれらからの出力を受け入れる。
【００７２】
また、加入者装置制御モジュール４１０は、音声およびデータ通信制御も提供する。コントローラモジュール４２０は、図８に示す加入者装置制御モジュール４１０の要素を含む様々な加入者装置要素に対して制御を提供する。また、加入者装置制御モジュール４１０は、二重モード加入者装置１３０によって使用されるアプリケーションソフトウェアなどを実行することもできる。メモリモジュール４２２は、コントローラ４２０および他の加入者装置制御モジュール４１０の要素が使用する情報を記憶する。
【００７３】
加入者装置制御モジュール４１０は、ＷＬＡＮフロントエンド４００と、セルラーフロントエンド４０２との両方上でＳＩＰメッセージ伝達を作成および受信するためのＳＩＰプロセッサモジュール４２４を含む。よって、ＳＩＰプロセッサモジュール４２４は、ＷＬＡＮフロントエンド４０４と、セルラーフロントエンド４０２との両方に結合される。
【００７４】
また、加入者装置制御モジュール４１０は、ＶｏＩＰパケットを作成および受信するためのＶｏＩＰプロセッサモジュール４２８をも含む。例えば、二重モード加入者装置１３０がＷＬＡＮ１３２の受信可能領域内にある場合などに、ＶｏＩＰプロセッサ４２８は、音声信号をスピーカ２００に提供し、マイクロフォン２０２から音声信号を受信する。よって、ＶｏＩＰプロセッサ４２８は、スピーカ２００、マイクロフォン２０２、ＷＬＡＮフロントエンド４００、および他の要素に結合される。ＶｏＩＰプロセッサは、当該技術において周知である。
【００７５】
加入者装置制御モジュール４１０は、セルラーネットワークの音声搬送パスから受信および当該パス上を送信された音声情報などのセルラー情報を作成および受信するためのセルラープロセッサモジュール４２６を含む。セルラープロセッサ４２６は、セルラーフロントエンド４０２に結合されると共に、スピーカ２００およびマイクロフォン２０２にも結合される。一実施形態において、セルラープロセッサ４２６は、ＳＩＰプロセッサ４２４をセルラーフロントエンド４０２に結合する。
【００７６】
上記のように、ソフトスイッチ１３４内のアクセスセッションおよび移動管理器１７４は、二重モード加入者装置１３０の位置を追跡する。そのような追跡を実施するのに使用できる機構はいくつかある。ソフトスイッチ３１０は、ＷＬＡＮ１３２を介して、加入者装置に対して「ピング」（応答を要求するメッセージを送信）して、応答が受信されなければ二重モード加入者装置１３０がないとみなすことができる。二重モード加入者装置１３０は、ＷＬＡＮ１３２からの信号をもはや受信できないと検出して、応答して、ＳＩＰ対応メッセージをパス１５０（図６参照）上で送って、ＷＬＡＮ１３２の受信可能領域からの離脱を登録してもよい。同様に、二重モード加入者装置１３０がＷＬＡＮ１３２の受信可能領域に再び入った場合には、ＳＩＰ対応メッセージをＷＬＡＮ１３２上で送って、その再入場を登録してもよい。加えて、ユーザが、キーを押すか、もしくは二重モード加入者装置１３０をドックに入れて卓上電話または加入装置がソフトスイッチに対してメッセージを送信するようにするなどして、卓上電話１３６を介して手動で二重モード加入者装置１３０の復帰を信号で知らせてもよい。
【００７７】
図９は、二重モード加入者装置１３０によって実施される位置登録のための方法または処理を示す。ブロック４３８において、二重モード加入者装置１３０は、標準的なＷＬＡＮ検索技術を使用して、新たなＷＬＡＮの受信可能領域に入ったかどうかを決定する。もし入ったならば、ブロック４４０において、二重モード加入者装置１３０は、新たなＷＬＡＮを検出して、フローはブロック４４２へ続く。ブロック４４２において、二重モード加入者装置１３０は、ＳＩＰ登録メッセージをＷＬＡＮ上で送出する。サービスを提供したいソフトスイッチにうまく辿り着けたならば、二重モード加入者装置１３０は、ブロック４４４において受領確認を受信し、フローはブロック４４６へと続く。新たなＷＬＡＮが検出される否か、または受領確認が受信されなければ、二重モード加入者装置１３０は、ブロック４３８において新たなＷＬＡＮのスキャンを継続する。ＷＬＡＮに登録されている間、ブロック４４６において、加入者装置は、ＷＬＡＮサービスが使用可能かどうかの監視を継続する。二重モード加入者装置１３０がＷＬＡＮの受信可能領域を去ったことをブロック４４８において検出した場合には、二重モード加入者装置は、ブロック４５０において、ＳＩＰ登録メッセージを携帯電話システム上で送出する。二重モード加入者装置１３０は、ブロック４３８において新たなＷＬＡＮの監視を再び開始する。
【００７８】
図９に関して説明した加入者装置に関連して、ソフトスイッチ１３４は、補完的な機能を行う。ブロック４４２において送られたＳＩＰ登録メッセージに応答して、ソフトスイッチ１３４は、加入者装置の存在をメモリに登録する。また、ソフトスイッチは、ブロック４４４において加入者装置が受信した受領確認を作成かつ送出する。同様に、ソフトスイッチ１３４は、ブロック４５０において送出されたＳＩＰメッセージ伝達を受信して、加入者装置を登録する。一実施形態において、ソフトスイッチ１３４は加入者装置をポーリングして、現在の位置を決定する。
【００７９】
一実施形態において、システムは、加入者装置からそのセルラーとしての独自性を奪うことなく実施される。例えば、セルラー事業者がセルラー電話番号を加入者装置に対して割り当てたと仮定する。さらに、ソフトスイッチは、異なるＰＢＸ電話番号を加入者装置に対して割り当てたと仮定する。よって、加入者装置は、セルラー番号と、ＰＢＸ番号とが関連付けられている。たとえソフトスイッチの管理下にあっても、セルラー番号を使用して、加入者装置と直接接触することができる。一実施形態において、ソフトスイッチが加入者装置についての有効な位置データを有していない場合には、ソフトスイッチは、加入者装置に対して、セルラー電話番号を使用して標準的なセルラーシステム上で着信呼を転送すればよい。そのような場合に、加入者装置は、標準のセルラー呼び出しでは使用できないような呼び出し特徴を使用可能にするために、ＳＩＰ信号伝達メッセージをソフトスイッチに送出してもよい。例えば、第１の発呼者が、二重モード加入者装置１３０に対してセルラー番号を使用して呼び出しを行うと仮定する。呼び出しを受信すると、二重モード加入者装置１３０は、発呼者ＩＤを使用して発呼者を識別できる。二重モード加入者装置１３０は、ＳＩＰメッセージ伝送をソフトスイッチ１３４に送り返して、発呼者を識別してもよい。
【００８０】
図１０は、ＳＩＰが使用されるシステム内のＷＬＡＮの外部に現在存在している二重モード加入者装置に対してＩＰ電話が呼び出しを開始した場合の呼び出しフロー例を示す。呼び出しフローまたは処理を、図５に示すソフトスイッチの実施形態および図２に示すネットワーク例をも参照して説明する。説明する方法の特定の順序は、システム要件および呼び出しフローに対する影響を考慮して、様々なものとなりうる。
【００８１】
ブロック５００において、呼び出しを行うＶｏＩＰ電話１５６または卓上電話１３６（図２参照）などのＩＰ電話は、ＳＩＰ  ＩＮＶＩＴＥのような、二重モード加入者装置１３０をそのＰＢＸ電話番号、ＳＩＰ  ＵＲＬ（統一資源ロケータ）、またはＩＰアドレスによって特定する標準的なＳＩＰ開始要求メッセージを送出する。ブロック５０２において、ソフトスイッチ１３４は、当該開始要求を受信して、ＳＩＰ  １００  ＴｒｙｉｎｇなどのＳＩＰ試行中メッセージで応答して、呼び出し開始装置に対して、ソフトスイッチが呼び出しの設定を試行中である旨を示す。ブロック５０４において、ソフトスイッチ１３４は、ユーザが規定した設定および登録情報などの二重モード加入者装置１３０に関連した呼び出し処理情報を再検討する。ソフトスイッチ１３４は、例えば図９に関連して説明した処理に基づいて、加入者装置１３０の予測位置に基づき、セルラーネットワークにある二重モード加入者装置１３０と接触することを決定する。
【００８２】
図５に戻って参照して、一実施形態において、ＳＩＰ開始要求メッセージ（ブロック５００）をソフトスイッチ１３４内の媒体ゲートウェイコントローラ１６４で受信する。媒体ゲートウェイコントローラ１６４内では、呼び出し制御および信号伝達機能１７０が、ＳＩＰ開始要求メッセージを処理して、ＳＩＰ試行中メッセージの送信を命令する（ブロック５０２）。第３者アプリケーションゲートウェイ１７８は、ブロック５０４で使用されるユーザの設定についての情報にアクセスする。アクセスセッションおよび移動管理器１７４は、ブロック５０４で使用される二重モード加入者装置１３０の位置についての情報を提供する。
【００８３】
ブロック５０６において、ソフトスイッチ１３４は、標準的なＳＩＰ開始要求メッセージを、ＩＰバックボーン１０８を通るパス１５０などのセルラーネットワークのデータ搬送パス上で、二重モード加入者装置１３０に対して送出することにより、ＰＳＴＮ１０６を迂回する。ソフトスイッチ１３４は、ＳＩＰ開始要求メッセージ内の二重モード加入者装置１３０を、ＩＰデータアクセスによるなどの標準的なＩＰ方法を使用して識別する。ブロック５０８において、二重モード加入者装置１３０は、ソフトスイッチ１３４に対して、ＳＩＰ  １８０  ＲＩＮＧＩＮＧなどのＳＩＰ呼び出し中指示を送出することによって応答する。ブロック５１０において、二重モード加入者装置１３０は、呼び出しを受け入れる。別の場合には、この応答は自動的に行われ、呼び出しは、呼び出しフロー内のブロック５２０などの他のある時点において二重モード加入者装置１３０によって受け入れられる。いずれの場合においても、二重モード加入者装置１３０は、呼び出し受け入れメッセージ（ＳＩＰ  ２００  ＯＫなど）を送出することによって応答する。図５を再び参照して、ブロック５０６，５０８，および５１２ならびに以下に説明するブロック５２４および５３０において説明するソフトスイッチ１３４内のＳＩＰ処理は、呼び出し制御および信号伝達機能モジュール１７０によって行うことができる。
【００８４】
ブロック５１４において、ソフトスイッチ１３４は、ＰＳＴＮ１０６に対する呼び出しを、様々な標準的なＰＳＴＮ信号伝達プロトコルのうちの１つを使用して開始する。一実施形態において、ソフトスイッチ１３４は、ＩＳＵＰを使用するので、ＩＳＵＰ開始アドレスメッセージ（ＩＡＭ）を、レッグ１５２Ａ上などでＰＳＴＮ１０６へ送出する。ＩＳＵＰ  ＩＡＭは、送出元のスイッチから送出先のスイッチへのアイドル中継回路を確保して、二重モード加入者装置１３０をそのセルラー電話番号などによって識別する。ブロック５１６において、ＰＳＴＮ１０６は、アドレス完了メッセージ（ＡＣＭ）で応答する。ＡＣＭは、すべてのアドレス信号が受信され、呼び出し設定が進行中であることを示す。ブロック５１４に応答して、ＰＳＴＮ１０６は、ブロック５１８において、セルラー呼び出し開始メッセージを既知の手法に従って送出する。ブロック５１４，５１６，および５２８ＰＳＴＮ信号伝達は、媒体ゲートウェイコントローラ１６４内の呼び出し制御および信号伝達機能１７０と、接続セッション管理器モジュール１７２とによって管理可能であり、信号伝送ゲートウェイ１６０によって実施可能である。
【００８５】
ブロック５２０において、二重モード加入者装置１３０は、ブロック５１０において呼び出しが既に受け入れられている場合には、呼び出しを自動的に受け入れる。二重モード加入者装置１３０は、ブロック５２２において、セルラー呼び出し受け入れで応答する。これらのＰＳＴＮブロックは、上述のＳＩＰブロックの前、後、またはそれと並行して生じてもよい。
【００８６】
ところで、ソフトスイッチ１３４は、ブロック５２４において、ＶｏＩＰ電話１５６に対してＳＩＰ呼び出し中指示（ＳＩＰ  １８０  ＲＩＮＧＩＮＧ）で応答し、論理的な意味で、ソフトスイッチ１３４からＶｏＩＰ電話１５６への一方向のＶｏＩＰ音声搬送パスをブロック５２６において確立する。ＶｏＩＰを使用して、回路切り換えチャンネルが確立または確保されることは実際にはないが、代わりに、音声搬送パケットが、一方の当事者から他方へ流れ始める。この場合、呼び出しを示すものを搬送するパケットが、中継ゲートウェイ１６２からＶｏＩＰ電話１５６へ流れ出す。
【００８７】
ブロック５２８において、ＰＳＴＮ１０６は、セルラー呼び出し受け入れに対して、ＩＳＵＰ応答（ＡＮＭ）で応答する。ＡＮＭは、被呼者が呼び出しに応答した旨を示す。応答して、ブロック５３０において、ソフトスイッチ１３４は、ＳＩＰ  ＯＫメッセージをＶｏＩＰ電話１５６に対して送出する。ブロック５３２において、電話チャンネルが割り当てられ、ソフトスイッチ１３４内の中継ゲートウェイ１６２からＰＳＴＮ１０６を通って二重モード加入者装置１３０への双方向音声パスが、パス１５２を使用するなどして確立される。ソフトスイッチ１３４内の中継ゲートウェイ１６２からＶｏＩＰ電話１５６への双方向ＶｏＩＰ音声搬送パスが、ブロック５３４において確立され、ソフトスイッチ１３４は、それを確立されたＰＣＭ音声パスに接続して、ＶｏＩＰ電話１５６から二重モード加入者装置１３０への音声リンクを完成させる。
【００８８】
別の場合には、セルラー音声チャンネルは、ソフトスイッチ１３４というよりも、二重モード加入者装置１３０からの呼び出し元によって確立される。例えば、図１０を再び参照して、ＳＩＰ開始要求メッセージ（ブロック５０６において送出されたものなど）または他のＳＩＰメッセージは、着信呼がソフトスイッチに到着した旨を示す。このメッセージに応答して、二重モード加入者装置１３０は、ソフトスイッチ１３４に対する呼び出しを、当該メッセージ内で指定された番号または所定の番号などの代理番号を使用して開始する。ブロック５１４において呼び出しを開始するよりも、ソフトスイッチ１３４は、二重モード加入者装置１３０からの着信呼を待つ。一実施形態において、ソフトスイッチ１３４は、被呼代理番号を使用して、二重モード加入者装置１３０からの着信呼を、呼び出し確立中であることと相関させる。その後、ソフトスイッチ１３４は、着信セルラー呼を切り換えて、確立されたＶｏＩＰ音声パスに接続して、呼び出しフローは、図１０に示すようなやり方で継続する。この応答加入者発呼手法は、以下のいくつかの呼び出しフローと共に使用することができる。
【００８９】
図１１は、現在ＷＬＡＮ外にある二重モード加入者装置に対する呼び出しをＰＳＴＮ電話が開始する場合の呼び出しフロー例を示す。この呼び出しフローを、図５および２をも参照して説明する。説明するブロックの特定の順序は、システム要件および呼び出しフローに対する影響を考慮して、様々なものとなりうる。
【００９０】
ブロック５３６において、従来の電話１５８などの呼び出しを行う電話は、二重モード加入者装置１３０のＰＢＸ電話番号を指定する普通の従来の電話システム（ＰＯＴＳ）呼び出し開始メッセージをＰＳＴＮ１０６へ送出する。ブロック５３８において、ＰＳＴＮ１０６（従来の電話１５８の代わりとなる）は、二重モード加入者装置１３０をそのＰＢＸ電話番号で特定するＩＳＵＰ  ＩＡＭを、ソフトスイッチへ送出する。ブロック５４０において、ソフトスイッチ１３４は、ＩＳＵＰ  ＡＣＭで応答する。ブロック５４２において、ＰＳＴＮ１０６は、ＰＯＴＳ呼びだし呼び出し中メッセージを従来の電話１５８へ送出する。
【００９１】
ブロック５４４において、ソフトスイッチ１３４は、ユーザが規定した設定および登録情報などの二重モード加入者装置１３０に関連した呼び出し処理情報を再検討する。この場合、ソフトスイッチ１３４は、セルラーネットワーク内の二重モード加入者装置１３０と接触することを決定する。ブロック５４６において、ソフトスイッチ１３４は、ＳＩＰ開始要求メッセージを、パス１５０などのセルラーネットワークのデータ搬送パス上で二重モード加入者装置１３０へ送出する。ブロック５４８において、二重モード加入者装置１３０は、ＳＩＰ呼び出し中指示を送出することによって応答する。ブロック５５０において、二重モード加入者装置１３０は、呼び出しを受け入れる。別の場合には、この応答は自動的に行われ、呼び出しは、後に、ブロック５６０などにおいて、二重モード加入者装置１３０によって受け入れられる。いずれの場合においても、二重モード加入者装置１３０は、ブロック５５２において、ＳＩＰ  ＯＫメッセージをソフトスイッチ１３４へ送り返すことによって応答する。
【００９２】
図８の加入者装置のブロック図に戻って参照して、ブロック５４６の着信ＳＩＰ開始要求メッセージは、セルラーフロントエンド４０２を通じて二重モード加入者装置１３０で受信される。セルラーフロントエンド４０２は、無線リンク上で受信された情報をＳＩＰプロセッサ４２４へ渡して、ＳＩＰプロセッサ４２４は、当該メッセージを解析する。一実施形態において、ＳＩＰプロセッサ４２４は、コントローラ４２０に対して指示を送り、その指示の結果、ユーザの通知を命令する。例えば、コントローラ４２０は、ユーザインターフェイス４１２と、マイクロフォン２０２とを使用して、着信音、カスタマイズされたマイクロフォンメッセージ（「マリーが呼んでいます」など）、表示メッセージ、一連のソフトキーオプションなどを命令する。また、コントローラ４２０は、ＳＩＰプロセッサ４２４に対して、ＳＩＰ呼び出し中指示を作成するように命令して、ブロック５４８においてセルラーフロントエンド４０２によって無線リンク上で送信させる。一実施形態において、ユーザが呼び出しを受け入れる場合には、コントローラ４２０は、ＳＩＰプロセッサ４２４に対して、対応する応答メッセージを作成するように命令して、ブロック５５２においてセルラーフロントエンド４０２によって無線リンク上で送信させる。一実施形態において、ユーザは、後に、例えばセルラーおよびＳＩＰ呼び出し情報が受信された後などに、通知されてもよい。
【００９３】
図１１を再び参照して、ブロック５５４において、ソフトスイッチ１３４は、二重モード加入者装置１３０をそのセルラー電話番号で特定するＩＳＵＰ  ＩＡＭをＰＳＴＮ１０６送出する。ブロック５５６において、二重モード加入者装置１３０の代わりとなるＰＳＴＮ１０６は、ＡＣＭで応答する。ブロック５５４に応答して、ＰＳＴＮ１０６は、ブロック５５８において、セルラー呼び出し開始を送出する。ブロック５６０において、呼び出しがブロック５５０においてすでに受け入れられている場合には、二重モード加入者装置１３０は、当該呼び出しを受け入れる。また、ブロック５６０において、二重モード加入者装置１３０は、着信セルラー音声呼び出しを以前受信されたＳＩＰ開始要求に相関させる。二重モード加入者装置１３０は、ブロック５６２において、セルラー呼び出し受け入れで応答する。ブロック５６４において、ＰＳＴＮ１０６は、セルラー呼び出し受け入れに対してＩＳＵＰ  ＡＮＭで応答する。これらのＰＳＴＮブロックは、上述のＳＩＰブロックの前、後、またはそれと並行して生じてもよい。また、上述の応答加入者発呼手法は、呼び出し接続を確立するために使用されてもよい。
【００９４】
図８に戻って参照して、ブロック５５８の着信セルラー呼び出し開始は、セルラーフロントエンド４０２を通じて二重モード加入者装置１３０で受信される。セルラーフロントエンド４０２は、無線リンク上で受信された情報を、メッセージを解析するセルラープロセッサ４２６へ渡す。セルラープロセッサ４２６は、メッセージをコントローラ４２０へ送出する。コントローラ４２０は、着信セルラー呼び出しを、発呼者ＩＤ情報などを使用するなどしてＳＩＰ処理情報に相関させる。ユーザが呼び出しを受け入れる場合には、コントローラ４２０は、セルラープロセッサ４２６に対して、対応する応答メッセージを作成するように命じて、ブロック５６２において送られたように、セルラーフロントエンド４０２によって無線リンク上を送信される。
【００９５】
図１１を再び参照して、ブロック５６６において、ソフトスイッチ１３４は、ＩＳＵＰ  ＡＮＭメッセージＰＳＴＮ１０６を送出する。ブロック５６８において、ＰＳＴＮ１０６は、ＰＯＴＳ呼び出し確立メッセージを従来の電話１５８へ送出する。ブロック５７０において、従来の電話１５８からソフトスイッチ１３４へのＰＣＭ音声パスが確立される。ブロック５７２において、回路切り換え音声チャンネルが割り当てられ、ＰＣＭ音声パスが、ＰＳＴＮ１０６を通って二重モード加入者装置１３０へ、パス１５２を使用するなどして確立され、ソフトスイッチ１３４は、それをブロック５７０において確立されたＰＣＭ音声パスに接続する。よって、従来の電話１５８から二重モード加入者装置１３０への音声搬送トラフィックチャンネルが完成する。
【００９６】
図８を再び参照して、音声搬送トラフィックチャンネル情報が、二重モード加入者装置１３０において、セルラーフロントエンド４０２、セルラープロセッサ４２６、ならびにマイクロフォン２０２およびスピーカ２００を使用して送受信される。
【００９７】
加入者装置が開始した呼び出しについての呼び出しフローは、二重モード加入者装置１３０によって受信された呼び出しについての図１０および１１において説明した呼び出しフローと同様である。二重モード加入者装置１３０が発呼者である場合には、二重モード加入者装置１３０は、標準的なセルラー呼び出し開始メッセージを作成する。メッセージは、実際の被呼者というよりも、代理の電話番号を特定する。二重モード加入者装置１３０は、加入者装置と同一のＰＢＸの外部または内部にある、ＰＳＴＮ装置またはＶｏＩＰ装置などの実際の被呼者を特定するＳＩＰメッセージを作成する。ソフトスイッチ１３４は、２つのメッセージを相関させて、上述の逆処理と同様のやり方で、適切な音声パスを確立する。
【００９８】
二重モード加入者装置１３０が発呼者であろうと被呼者であろうと、音声搬送セルラーパスと、並列ＳＩＰ信号伝達セルラーパスとが、二重モード加入者装置１３０で確立される。並列ＳＩＰ信号伝達パスにより、二重モード加入者装置１３０のユーザは、標準的な職場の卓上電話上で使用可能な機能のようなＳＩＰ機能に対してアクセスすることができる。
【００９９】
ちょうど上記のように、二重モード加入者装置１３０がセルラー直接受信可能領域内にあり、かつＷＬＡＮ外にある場合の二重モード加入者装置１３０による標準的な呼び出しは、実際の被呼者というよりも、ソフトスイッチ１３４に関連付けられた代理番号を指定する。したがって、電話番号の最初の数字をダイヤルすることなどによって、ユーザが呼び出しを行うつもりであることを示すやいなや、二重モード加入者装置１３０は、代理番号を使用して、音声搬送トラフィックストリームをパス１５２上で開始する処理を開始できる。加えて、ユーザが呼び出しを行うつもりであることを示すやいなや、システムが応答ソフトスイッチ開始手法（図１６を参照して以下に説明する）を使用する場合には、二重モード加入者装置１３０は、データ搬送パス１５０上でメッセージを送出して、ソフトスイッチ１３４に対して、二重モード加入者装置１３０に対する呼び出しを開始する旨を通知することができる。このように、セルラー音声呼び出しの確立に伴う遅延は遮断され、システムの応答は、人間であるユーザが知覚するよりもはるかに速くなる。
【０１００】
図１２は、加入者装置が開始した呼び出しに対する、ソフトスイッチ１３４によって実施される処理または方法のフローチャートである。処理を、図５および２をも参照して説明する。図１２から、対応する遠隔ユニットの動作を、当業者は容易に理解できる。説明するブロックの特定の順序は、システム要件および呼び出しフローに対する影響を考慮して、様々なものとなりうる。
【０１０１】
ブロック８００において、ソフトスイッチ１３４は、二重モード加入者装置１３０によって生成および送出されたＳＩＰ開始要求を、パス１５０などで受信する。ＳＩＰ信号伝達は、媒体ゲートウェイコントローラ１６４によって、より特定的には呼び出し制御および信号伝達機能１７０によって、処理される。二重モード加入者装置１３０によって作成されたＳＩＰ開始要求メッセージは、被呼者を指定し、この場合では、ＰＳＴＮ電話番号によって指定されるＰＳＴＮ装置を仮定する。ソフトスイッチ１３４内の呼び出し制御および信号伝達機能１７０は、応答ＳＩＰ試行中メッセージを生成して、ブロック８０２において、それを二重モード加入者装置１３０へ送出する。
【０１０２】
ブロック８０４において、信号ゲートウェイ１６０は、ＩＡＭメッセージをＰＳＴＮ１０６から受信する。ＰＳＴＮからのＩＡＭメッセージは、従来のセルラーネットワーク上での二重モード加入者装置１３０からＰＳＴＮ１０６への呼び出し開始メッセージに応答して生成されたものである。ＩＡＭメッセージ（および呼び出し開始メッセージ）は、通信を意図したユーザが使おうとした実際の被呼者番号というよりはむしろ、代理の被呼者番号を指定する。（実際の被呼者番号は、ブロック８００で受信されたＳＩＰメッセージ伝達において指定される。）一実施形態において、代理の被呼者番号は、二重モード加入者装置によって開始された着信呼のために確保された、ソフトスイッチ１３４に関連したダミーの電話番号であって、よって、ソフトスイッチ１３４に対して、対応ＳＩＰメッセージが送出されて実際の被呼者が指定される旨を通知する。他の実施形態において、代理番号は、ソフトスイッチに関連付けられ、加入者装置に固有である。一実施形態において、代理の被呼者番号は、開始加入者装置のＰＢＸが割り当てられた番号である。一実施形態において、二重モード加入者装置からのＳＩＰ信号伝達は、代理番号を指定して、相関関係を促進する。ブロック８０６において、ソフトスイッチ１３４は、代理被呼者番号を参照するなどして、ブロック８００において受信されたＳＩＰメッセージをブロック８０４において受信されたＰＳＴＮ信号伝達に相関させ、二重モード加入者装置１３０を、確立中のセルラー音声搬送トラフィックパス上で、ＳＩＰ開始要求において指定された要素に対して結合する。典型的には、媒体ゲートウェイコントローラ１６４は、ＳＩＰメッセージのセルラー音声呼び出しに対する相関を行う。
【０１０３】
ブロック８０８において、信号伝達ゲートウェイ１６０は、接続セッション管理器１７２の制御の下、ブロック８０４で受信されたＩＡＭに応答して、ＡＣＭメッセージをＰＳＴＮ１０６へ送出する。また、同じ要素は、ブロック８１０において、ＩＡＭを作成およびＰＳＴＮ１０６へ送出して、ＳＩＰ開始要求で指定された相手への呼び出しを確立しようと試みる。ブロック８１２および８１４において、ＡＣＭおよびＡＮＭメッセージは、被呼装置の代わりにソフトスイッチ１３４によって受信される。ブロック８１６において、ソフトスイッチ１３４（特定的には、中継ゲートウェイ１６２）は、双方向音声パス同士を結合させ、図１０のブロック５３４および５３２ならびに図１１のブロック５７０および５７２において示すのと同様なやり方で、被呼者が二重モード加入者装置１３０に接続するようにする。呼び出しが確立された後でさえ、ユーザは、ＳＩＰ信号伝達をセルラーシステムのデータ搬送パス上で使用することにより、卓上電話において使用可能な機能などの広範囲の機能を自由に使用可能である。
【０１０４】
図１３Ａおよび１３Ｂは、呼び出しが進行中である場合に呼び出しを制御するためにＳＩＰ信号伝達を使用する例を示す呼び出しフロー図である。これらの図面に関連して説明される特定の例は、保留転送であるが、図面は、呼び出し制御のための並列ＳＩＰチャンネルの使用を寄り一般的に示している。他のコールフロー機能（電話会議、インターコム機能、プッシュトーク動作など）および他の種類の遠端末装置のためにＳＩＰ信号伝達を使用することは、図１３Ａおよび１３Ｂを再検討した後には当業者にとって容易に明らかであろう。説明するブロックの特定の順序は、システム要件および呼び出しフローに対する影響を考慮して、様々なものとなりうる。図１３Ａおよび１３Ｂに関連して、ユーザは現在職場から離れており、かつセルラー受信可能範囲内ではあるが、ＷＬＡＮ受信可能範囲外であると仮定する。役員であるユーザは、そのＰＢＸ電話番号をダイヤルした元の発呼者からの呼び出しを受信しており、同番号で職場の卓上電話も鳴っている。フローが開始すると、役員は現在、加入者装置１３０を介して、元の発呼者と音声通話を行っている。現在、彼は、アシスタントであるマリーと手短に話をしたいと思っており、その後、マリーが後日のミーティングの予定を立てることができるように、元の発呼者をマリーにつなぎたいと思っている。彼は、元の発呼者にそのまま待ってもらって、第２の被呼者であるマリーに対して、マリーの３桁のＰＢＸ内線を使用してダイヤルする。彼はマリーと少し話した後、元の発呼者をマリーにつなぐ。
【０１０５】
図１３Ａおよび１３Ｂは、元の発呼者が一般的なＶｏＩＰ電話であり、第２の被呼者は二重モード加入者装置１３０と同じＰＢＸに関連付けられたＶｏＩＰ電話であると仮定する。フローが開始すると、ＶｏＩＰ電話１５６（元の発呼者）と、二重モード加入者装置１３０との間で呼び出しが確立する（図２参照）。ＶｏＩＰ電話１５６と、ソフトスイッチ１３４との間の呼び出しのレッグが、図１０を参照して説明した方法を使用するなどにより、ブロック５８０によって確立されている。ソフトスイッチ１３４と、二重モード加入者装置１３０との間のＰＳＴＮ１０６を通じての呼び出しのレッグは、ブロック５８２によって確立されている。ブロック５８４において、二重モード加入者装置１３０は、現在の通話を保留にするためのユーザからのコマンドを受信する。ブロック５８６において、二重モード加入者装置１３０は、ＳＩＰ  ＩＮＶＩＴＥ（ＨＯＬＤ）などのＳＩＰ保留メッセージをソフトスイッチ１３４へ送出する。その結果、ブロック５８８において、ソフトスイッチ１３４は、ＳＩＰ保留メッセージをＶｏＩＰ電話１５６へ送出する。ＶｏＩＰ電話１５６は、ブロック５９０において、ＳＩＰ  ＯＫメッセージで応答し、その後、ソフトスイッチ１３４は、ブロック５９２において、二重モード加入者装置１３０へ同様に応答する。二重モード加入者装置１３０は、ブロック５９４において、ＳＩＰ受領確認メッセージを送出し、その後、ソフトスイッチ１３４は、ＳＩＰ受領確認メッセージをＶｏＩＰ電話１５６へ送出する。ブロック５９８および６００において、それぞれ、ＶｏＩＰ電話１５６と、ソフトスイッチ１３４との間、およびソフトスイッチ１３４と、二重モード加入者装置１３０との間で、音声が一時停止される。この時点で、ソフトスイッチ１３４と、二重モード加入者装置１３０との間の音声搬送送信が一時停止される。ソフトスイッチ１３４と、二重モード加入者装置１３０との間の従来の音声チャンネルは割り当てられたままであり、一実施形態において、切断されていない。例えば、パス１５２上で確立された音声チャンネルは、音声搬送トラフィックが渡されなくても割り当てられたままである。場合によっては、音声が一時中断している間、安心のための発信音または保留音などがリンク上で送信されてもよい。
【０１０６】
ブロック６０２において、まだそうしていない場合には、二重モード加入者装置１３０は、二重モード加入者装置１３０のユーザによって示されたとおりの第２の被呼者（上記の例では、マリー）についての識別子を受信する。ブロック６０４において、二重モード加入者装置１３０は、卓上電話１３６のような第２の被呼者を特定するＳＩＰ開始要求メッセージを送出する。ブロック６０６において、ソフトスイッチ１３４は、対応のＳＩＰ開始要求メッセージを卓上電話１３６へ送出する。ブロック６０８において、卓上電話１３６は、ＳＩＰ呼び出し中メッセージで応答し、その後、ソフトスイッチ１３４は、ブロック６１０において、ＳＩＰ呼び出し中メッセージで応答する。ブロック６１２において、卓上電話１３６は、呼び出しを受け入れ、ブロック６１４において、その旨を示すものをソフトスイッチ１３４へ送出する。ブロック６１６において、ソフトスイッチ１３４は、ＳＩＰ  ＯＫメッセージを二重モード加入者装置１３０へ送出する。ブロック６１８において、標準的なＶｏＩＰ音声搬送パスが、ソフトスイッチ１３４と、卓上電話１３６との間で確立される。ブロック６２０において、先に割り当てられたセルラーチャンネルを再使用して、第２の被呼者（この例では、卓上電話１３６）との音声パスを確立する。このようにして、セルラー音声チャンネルの割り当ておよび確立に伴う遅延を回避する。音声トラフィックの一時中断および再確立は、セルラーシステムの介入なしに行われる。代わりに、第２のセルラー音声チャンネルを確立してもよい。
【０１０７】
これで、本例の移動中の役員は、最初の通話を保留にしている間に、確立された音声パス上でアシスタントと少し話をすることができる。話し終わると、フローの続きは図１３Ｂとなる。
【０１０８】
図１３Ｂは、図１３Ａの呼び出しフローの続きである。ブロック６２８において、ユーザは、第２の被呼者との通話を終了させる。最初の命令でまだそのようにしていない場合には、ユーザは、元の発呼者を第２の被呼者につなぐよう、例えばソフトキー２０６（図７参照）を介して信号で伝える。ブロック６３０において、二重モード加入者装置１３０は、ＳＩＰメッセージを送出して、卓上電話１３６との通話を保留にするための、ＳＩＰ  ＩＮＶＩＴＥ（ＨＯＬＤ）などのＳＩＰメッセージを送出する。ブロック６３２において、ソフトスイッチ１３４は、同様のメッセージを卓上電話１３６に送出する。卓上電話１３６は、受領確認のための、ＳＩＰ  ２００  ＯＫなどのＳＩＰメッセージをブロック６３４において送出する。ブロック６３６において、ソフトスイッチ１３４は、同様のメッセージを二重モード加入者装置１３０へ送出する。ブロック６３８において、二重モード加入者装置１３０は、ＳＩＰ  ＡＣＫなどのＳＩＰ受領確認をソフトスイッチ１３４へ送出する。ブロック６４０において、ソフトスイッチ１３４は、同様のメッセージを卓上電話１３６へ送出する。セルラー音声搬送トラフィックパスおよびＶｏＩＰ音声搬送トラフィックパス上の音声通信は、それぞれブロック６４４および６４２において、一時中断される。
【０１０９】
ブロック６４６において、二重モード加入者装置１３０は、ＳＩＰ  ＲＥＦＥＲなどの、元の発呼者を第２の被呼者へつなぐことを識別するＳＩＰメッセージを送出する。ブロック６４８において、ソフトスイッチ１３４は、同様のメッセージをＶｏＩＰ電話１５６へ送出する。ブロック６５０において、ＶｏＩＰ電話１５６は、照会を受け入れて、ＳＩＰ  ２０２  ＡＣＣＥＰＴＥＤなどのＳＩＰ受け入れメッセージを送出する。ブロック６５２において、ソフトスイッチ１３４は、同様のメッセージを二重モード加入者装置１３０へ送出する。ブロック６５４において、ＶｏＩＰ電話１５６は、ＳＩＰ  ＩＮＶＩＴＥ（ＲＥＰＬＡＣＥＳ）などのＳＩＰ開始要求メッセージを卓上電話１３６へ送出する。卓上電話１３６は、呼び出しを受け入れ、ブロック６５６において、その旨を示すものをＶｏＩＰ電話１５６へ送出する。そして、ブロック６５８において、卓上電話１３６と、ＶｏＩＰ電話１５６との間のＶｏＩＰ音声パスが、ソフトスイッチ１３４によって確立される。
【０１１０】
元の発呼者、第２の被呼者、またはその両者が従来の古い電話である場合には、同様のＰＳＴＮ対応呼び出しフローが上述のＳＩＰ処理に取って代わることは、図１３Ａおよび１３Ｂに示す呼び出しフローを参照すれば、当業者にとって容易に明らかであろう。
【０１１１】
ブロック６６０において、卓上電話１３６は、ＳＩＰ  ＢＹＥなどのＳＩＰ呼び出し解放メッセージをソフトスイッチ１３４へ送出する。ブロック６６２において、ソフトスイッチ１３４は、同様のメッセージを二重モード加入者装置１３０へ送出する。二重モード加入者装置１３０は、ブロック６６４において、ＳＩＰ  ＯＫメッセージで応答する。ブロック６６６において、ソフトスイッチ１３４は、同様のメッセージを卓上電話１３６へ送出する。ブロック６６８において、ＶｏＩＰ電話１５６は、ＳＩＰ  ＮＯＴＩＦＹなどの、呼び出し転送が成功したことを示すＳＩＰメッセージを送出する。ブロック６７０において、ソフトスイッチ１３４は、同様のメッセージを二重モード加入者装置１３０へ送出する。二重モード加入者装置１３０は、ブロック６７２において、ＳＩＰ  ＯＫメッセージで応答する。ブロック６７４において、ソフトスイッチ１３４は、同様のメッセージをＶｏＩＰ電話１５６へ送出する。ブロック６７６において、二重モード加入者装置１３０は、ＳＩＰ  ＢＹＥなどのＳＩＰ呼び出し解放メッセージを送出する。ブロック６７８において、ソフトスイッチ１３４は、同様のメッセージを卓上電話１３６へ送出する。ブロック６８０において、ＶｏＩＰ電話１５６は、ＳＩＰ  ＢＹＥなどのＳＩＰ呼び出し解放メッセージをソフトスイッチ１３４へ送出する。ブロック６８２において、ソフトスイッチ１３４は、同様のメッセージを二重モード加入者装置１３０へ送出する。二重モード加入者装置１３０は、ブロック６８４において、呼び出しから解放され、割り当てられたセルラーチャンネルが解放される。二重モード加入者装置１３０が別の呼び出しを行いたい場合には、ソフトスイッチ１３４は、割り当てられたセルラーチャンネルを維持して、二重モード加入者装置１３０が使用することにより、第３者への呼び出しまたはそこへ発呼者たる第３者を接続できるようにしてもよい。
【０１１２】
ソフトスイッチ１３４は、複数の装置に対する単一の呼び出しに関連したＳＩＰ信号伝達を送出することができる。例えば、ユーザは、職場から離れている間に自分の二重モード加入者装置１３０に呼び出しが回される場合には、発呼者を識別して二重モード加入者装置１３０についての大まかな位置を示すメッセージをアシスタントがアシスタントの装置で受信するように、自身のシステムを構築してもよい。例えば、図１０を再び参照して、ブロック５０４において、ソフトスイッチ１３４は、ユーザが規定した設定および登録情報をなどの、二重モード加入者装置１３０に関連した呼び出し処理情報を再検討する。これらの設定に応答して、ソフトスイッチ１３４は、ブロック５０６と同様のやり方で、ＳＩＰメッセージ伝達を指定された第２の装置へ送出する。当該情報に基づいて、第２の装置は、元の意図された受信者に代わって、呼び出しを受け入れる。
【０１１３】
この機能を実際の場合に当てはめて、先の例に戻って、移動中の役員がマリーとの通話を終えて、重要な会議を始めた場合を考える。ソフトスイッチ１３４は、役員の家庭用電話からの呼び出し開始をＰＳＴＮ上で受信する。ソフトスイッチ１３４は、ユーザが規定した設定および登録情報などの、二重モード加入者装置１３０に関連した呼び出し処理情報をチェックする。ユーザは、システムに対して、通常の営業時間中に家の電話番号からの呼び出しを受信した場合およびユーザがＷＬＡＮの受信可能領域外にいる場合にはいつでも、メッセージをマリーにルーティングするように命令してある。マリーは、無線装置を携帯して休憩室にいてもよいが、当該装置でＷＬＡＮ上においてメッセージを受信する。メッセージには、「ボブの家からの役員ボブへの着信です。ボブは職場にいません。この通話を傍受したいですか？」と書いてある。マリーは、重要な会議であることがわかっているので、肯定する旨を信号で伝え、呼び出しはマリーにルーティングされる。メッセージが役員さんの装置へ送出され、役員さんのための対応するメッセージが、「午後３時０９分にボブの家から電話がありました。電話はマリーが応答しました」というように表示される。
【０１１４】
第２の例として、二重モード加入者装置１３０のユーザがデータ装置１５４をも携帯していると仮定する。呼び出しに伴うＳＩＰ信号伝達がデータ装置１５４へも送信可能である。データ装置１５４は、ＳＩＰ信号伝達をソフトスイッチ１３４へ送り戻すこともできるので、二重モード加入者装置１３０と同一の種類の機能を実行できる。
【０１１５】
例えば、ユーザがスケジューリングおよび電子メール機能を提供するデータ装置１５４を所持しており、かつ二重モード加入者装置１３０を使用して通話に参加していると仮定する。着信呼が二重モード加入者装置１３０によって受信されると、ソフトスイッチ１３４は、着信呼を示すＳＩＰ信号伝達メッセージをデータ装置１５４へ送出する。データ装置１５４は、ユーザに対して着信呼を通知して、ユーザオプションを提示できる。例えば、「マーティン・スチュワートからの着信を受信中です。この呼び出しを受け入れて、現在の通話を保留したいですか？」というような表示がなされてもよい。一連のソフトキーによって、ユーザが第２の呼び出しを受け入れて、第１の呼び出しを保留にして、第１または第２の呼び出しをボイスメールまたは他の内線などに転送できるようにしてもよい。ユーザは、自分の二重モード加入者装置１３０を自分のデータ装置１５４で制御するなどして、自分の意図をデータ装置１５４へ信号で直接伝えることができる。また、データ装置１５４は、第２の発呼者とのやり取りされた電子メールを見つけたり、第２の発呼者との今後または過去の面会予約を表示することもできる。このように、第２の装置を使用して、二重モード加入者装置１３０についての呼び出し制御を提供することができる。代わりに、これらの同一の機能を加入者装置１３０において実施してもよい。
【０１１６】
他の新規の呼び出し機能には、呼び出しへの割り込み機能が含まれる。例えば、図１１のブロック５４０〜５４８に示すような呼び出しがユーザに来たと仮定する。しかしながら、即座に呼び出しを受け入れるのではなく、ユーザは発呼者に対してボイスメールを送って、残されている最中のメッセージを監視したいと思う。ユーザは、この命令を二重モード加入者装置１３０に対して信号で伝える。この内容は、二重モード加入者装置１３０からソフトスイッチ１３４へのＳＩＰメッセージ伝達により、信号伝達される。フローは継続して、ＰＣＭセルラー音声パスと、図１１のブロック５５４〜５７０において示すのと同様のＰＣＭ陸上通信線パスとを確立する。ソフトスイッチ１３４は、ブロック５７０において作成したような音声パスを、ボイスメールアプリケーションへルーティングする。ソフトスイッチ１３４は、並行して、発呼者からの音声搬送トラフィックストリームを、ブロック５７２において確立したパス１５２などで二重モード加入者装置１３０へルーティングする。残されている最中のメッセージをユーザが聞くことができるように、加入者装置１３０から音声が出力される。二重モード加入者装置１３０のユーザが呼び出しに割り込むことを選択する場合にはいつでも、二重モード加入者装置１３０は、ＳＩＰ信号伝達メッセージをソフトスイッチ１３４へ送出する。応答して、ソフトスイッチ１３４は、また、二重モード加入者装置１３０からの音声搬送データストリームを発呼者へルーティングして、双方向通話が確立される。この場合、ソフトスイッチ１３４は、ボイスメールシステムに対して、録音を中止するように信号で伝えてもよい。
【０１１７】
図１４は、ソフトスイッチと、従来のＭＳＣとの間の媒体ゲートウェイを使用する、図６に示すようなシステムにおけるＷＬＡＮの外に現在存在する二重モード加入者装置への呼び出しをＶｏＩＰ電話１５６などのＩＰ電話が開始する場合の呼び出しフロー例を示す。説明するブロックの特定の順序は、システム要件および呼び出しフローに対する影響を考慮して、様々なものとなりうる。
【０１１８】
ブロック７００において、ＶｏＩＰ電話１５６は、二重モード加入者装置１３０のＰＢＸ電話番号、もしくはＳＩＰ  ＵＲＬまたはＩＰアドレスなどの他の識別子を特定するＳＩＰ開始要求メッセージを送出する。ソフトスイッチ３４４は、開始要求を受信して、ブロック７０２において、ＳＩＰ試行中メッセージで応答する。ブロック７０４において、ソフトスイッチ３４４は、ユーザが規定した設定および登録情報などの二重モード加入者装置１３０に関連した呼び出し処理情報を再検討する。ソフトスイッチ３４４は、セルラーネットワーク内の二重モード加入者装置１３０と接触することを決定する。ブロック７０６において、ソフトスイッチ３４４は、ＳＩＰ開始要求メッセージを二重モード加入者装置１３０へ、図６のパス１５０のような、セルラーネットワークのデータ搬送パス上で送出する。ソフトスイッチ３４４は、標準的なＩＰアドレス指定手法を使用して、二重モード加入者装置１３０を識別する。ブロック７０８において、加入者装置は、ＳＩＰ呼び出し中指示メッセージを送出することによって応答する。ブロック７１０において、二重モード加入者装置１３０は、呼び出しを受け入れる。別の場合には、この応答は自動的に行われ、呼び出しは、呼び出しフロー内のブロック７３０などの他のある時点において二重モード加入者装置１３０によって受け入れられる。いずれの場合においても、二重モード加入者装置１３０は、ブロック７１２において、ＳＩＰ  ＯＫメッセージをソフトスイッチ３４４へ送出することによって応答する。
【０１１９】
媒体ゲートウェイ３４０に対して、音声搬送トラフィックチャンネルを開始するように命令するために、ソフトスイッチ３４４は、ＩＰメッセージを作成して、レッグ３４２Ａおよび３４２Ｂなどにより、ＩＰネットワーク上で媒体ゲートウェイ３４０へ送信する。メッセージは、セルラー電話番号によって指定された二重モード加入者装置１３０へのセルラーネットワーク上での呼び出し開始を示す。このように、ブロック７１４において、ソフトスイッチ３４４は、二重モード加入者装置１３０をそのセルラー電話番号によって指定するＩＡＭメッセージまたは同様のＩＰ形式の呼び出し開始メッセージを、ＩＰバックボーン１０８上で媒体ゲートウェイ３４０へ送出する。
【０１２０】
ブロック７１６において、媒体ゲートウェイ３４０は、ＩＰ形式のメッセージを受信し、それに応答して、レッグ３４０Ｃなどによって、様々な標準的なＰＳＴＮ信号伝達プロトコルのうちの１つを使用して、呼び出し確立試行を従来のＭＳＣ１４０へ信号で伝える。ブロック７１８において、従来のＭＳＣ１４０は、ＡＣＭで応答する。メッセージは、媒体ゲートウェイ３４０によって受信され、ブロック７２０において、媒体ゲートウェイ３４０は、対応するＩＰ形式のメッセージを作成して、それをソフトスイッチ３４４へＩＰバックボーン１０８上で送出する。
【０１２１】
ブロック７１６に応答して、従来のＭＳＣ１４０は、ブロック７２２において、周知の手法に従って、セルラー呼び出しを開始する。ブロック７３０において、二重モード加入者装置１３０は、ブロック７１０において既に受け入れられていれば、その呼び出しを自動的に受け入れる。また、ブロック７３０において、二重モード加入者装置１３０は、着信セルラー音声呼び出しを以前受信したＳＩＰ開始要求に相関させる。二重モード加入者装置１３０は、ブロック７３２において、セルラー呼び出し受け入れで応答する。その次に、従来のＭＳＣ１４０は、ブロック７３４において、媒体ゲートウェイ３４０に対してＡＮＭで応答する。媒体ゲートウェイ３４０は、ブロック７３６において、ＡＮＭメッセージ情報を有するＩＰメッセージで、ソフトスイッチ３４４に応答する。これらのＰＳＴＮブロックは、上述のＳＩＰブロックの前、後、またはそれと並行して生じてもよい。
【０１２２】
ところで、ソフトスイッチ３４４は、ブロック７２４において、ＶｏＩＰ電話１５６に対してＳＩＰ呼び出し指示メッセージで応答する。ソフトスイッチ３４４は、ブロック７２６において、第１の接続作成メッセージを媒体ゲートウェイ３４０へ送出する。第１の接続作成メッセージは、媒体ゲートウェイ３４０に対して、ブロック７２８およびその後のブロック７４２において使用されるＶｏＩＰ音声パスに資源を割り当てるように命令する。本例では、ＭＧＣＰを使用しているが、メガコまたは他の媒体ゲートウェイ制御プロトコルのような他のプロトコルも使用できる。論理的な意味で、媒体ゲートウェイ３４０は、ブロック７２８において、媒体ゲートウェイ３４０からＶｏＩＰ電話１５６への一方向のＶｏＩＰ音声搬送パスを確立し、パケットが媒体ゲートウェイ３４０からＶｏＩＰ電話１５６へと流れ始める。
【０１２３】
ブロック７３６において送出されたＩＰ  ＡＮＭ  メッセージに応答して、ソフトスイッチ３３４は、ブロック７３８において、ＳＩＰ  ＯＫメッセージをＶｏＩＰ電話１５６へ送出する。ソフトスイッチ３４４は、ブロック７４０において、第２の接続作成メッセージを媒体ゲートウェイ３４０へ送出する。第２の接続作成メッセージは、媒体ゲートウェイ３４０に対して、使用するＰＣＭに資源を割り当てて、音声接続を確立するように命令する。ブロック７４４において、電話チャンネルが割り当てられ、レッグ３４２Ｃ，３４２Ｄ，および３４２Ｅを使用するなどして、媒体ゲートウェイ３４０からＰＳＴＮ１０６を通って二重モード加入者装置１３０への双方向音声パスが確立される。ブロック７４１において、ソフトスイッチ３４４は、接続修正メッセージを媒体ゲートウェイ３４０へ送出して、以前に作成された２つの終点を接続することと、例えばＩＰ符号化およびＰＣＭ符号化音声信号伝達間での変換などといった、媒体変換を必要に応じて行うこととを命令する。ブロック７４２において、媒体ゲートウェイ３４０からＶｏＩＰ電話１５６への双方向ＶｏＩＰ音声搬送パスが確立されており、よって、ＶｏＩＰ電話１５６から二重モード加入者装置１３０への音声リンクが完成する。注意すべきなのは、媒体ゲートウェイ３４０からＶｏＩＰ電話１５６へのＶｏＩＰパスは、効率的なパス上でパケットを搬送でき、これらのパケットは、ソフトスイッチ３４４へ入力される必要がない。
【０１２４】
図１５は、ソフトスイッチと、従来のＭＳＣとの間の媒体ゲートウェイを使用する、図６に示すようなシステムにおけるＷＬＡＮの外に現在存在する二重モード加入者装置への呼び出しを従来の電話が開始する場合の呼び出しフロー例を示す。説明するブロックの特定の順序は、システム要件および呼び出しフローに対する影響を考慮して、様々なものとなりうる。
【０１２５】
ブロック７４６において、従来の電話１５８などのＰＳＴＮ装置は、二重モード加入者装置１３０のＰＢＸ電話番号を指定するＰＯＴＳ呼び出し開始をＰＳＴＮ１０６へ送出する。ブロック７４８において、ＰＳＴＮ１０６（従来の電話１５８の代わりとなる）は、二重モード加入者装置１３０をそのＰＢＸ電話番号で特定するＩＳＵＰ  ＩＡＭ（または、使用するプロトコルによっては他の呼び出し開始メッセージ）を送出する。ブロック７５０において、ソフトスイッチ３４４は、ＩＳＵＰ  ＡＣＭで応答する。ブロック７５２において、ＰＳＴＮ１０６は、ＰＯＴＳ呼び出し呼び出し中指示を従来の電話１５８へ送出する。
【０１２６】
ブロック７５４において、ソフトスイッチ３４４は、ユーザが規定した設定および登録情報などの二重モード加入者装置１３０に関連した呼び出し処理情報を再検討する。ソフトスイッチ３４４は、セルラーネットワーク内の二重モード加入者装置１３０と接触することを決定する。ブロック７５６において、ソフトスイッチ３４４は、ＳＩＰ開始要求メッセージを、図６のパス１５０などのセルラーネットワークのデータ搬送パス上で二重モード加入者装置１３０へ送出する。ブロック７５８において、加入者装置は、ＳＩＰ  １８０  ＲＩＮＧＩＮＧなどのＳＩＰ呼び出し中指示メッセージを送出することによって応答する。ブロック７６０において、二重モード加入者装置１３０は、呼び出しを受け入れる。別の場合には、この応答は自動的に行われ、呼び出しは、呼び出しフロー内の他のある時点において二重モード加入者装置１３０によって受け入れられる。いずれの場合においても、二重モード加入者装置１３０は、ブロック７６２においてＳＩＰ  ＯＫメッセージ（ＳＩＰ  ２００  ＯＫなど）をソフトスイッチ３４４へ送出することによって応答する。
【０１２７】
媒体ゲートウェイ３４０に対して、音声搬送トラフィックチャンネルを開始するように命令するために、ソフトスイッチ３４４は、ＩＰメッセージを作成して、レッグ３４２Ａおよび３４２Ｂなどにより、ＩＰネットワーク上で媒体ゲートウェイ３４０へ送信する。メッセージは、セルラー電話番号によって指定された二重モード加入者装置１３０へのセルラーネットワーク上での呼び出し開始を示す。このように、ブロック７６４において、ソフトスイッチ３４４は、二重モード加入者装置１３０をそのセルラー電話番号によって指定するＩＰ形式のＩＡＭメッセージを、ＩＰバックボーン１０８上で媒体ゲートウェイ３４０へ送出する。
【０１２８】
ブロック７６６において、媒体ゲートウェイ３４０は、ＩＰメッセージおよび信号を、呼び出し確立試行に変換して、レッグ３４２Ｃなどにより、標準的なＰＳＴＮ信号伝達を使用して、従来のＭＳＣ１４０へ送出する。ブロック７６８において、従来のＭＳＣ１４０は、ＩＳＵＰ  ＡＣＭで応答する。メッセージは、媒体ゲートウェイ３４０によって受信され、ブロック７７０において、媒体ゲートウェイ３４０は、対応するＩＰ上のＡＣＭメッセージをソフトスイッチ３４４へ送信する。
【０１２９】
ブロック７６６に応答して、従来のＭＳＣ１４０は、ブロック７７２において、セルラー呼び出しを周知の手法に従って開始する。ブロック７７４において、二重モード加入者装置１３０は、呼び出しフローにおいて以前に既に受け入れられていれば、その呼び出しを自動的に受け入れる。また、ブロック７７４において、二重モード加入者装置１３０は、着信セルラー音声呼び出しをＳＩＰ開始要求に相関させる。二重モード加入者装置１３０は、ブロック７７６において、セルラー呼び出し受け入れで応答する。その次に、従来のＭＳＣ１４０は、ブロック７７８において、媒体ゲートウェイ３４０に対してＩＳＵＰ  ＡＮＭで応答する。媒体ゲートウェイ３４０は、ブロック７８０において、ＡＮＭメッセージ情報を有するＩＰメッセージで、ソフトスイッチ３４４に応答する。応答して、ソフトスイッチ３４４は、ブロック７８２において、ＩＳＵＰ  ＡＮＭをＰＳＴＮ１０６へ送出する。これらのＰＳＴＮブロックは、上述のＳＩＰブロックの前、後、またはそれと並行して生じてもよい。
【０１３０】
ソフトスイッチ３４４は、ブロック７８４において、媒体ゲートウェイ３４０に対して、各ＰＣＭ呼び出しレッグの終点について資源を割り当てるように指示する接続作成メッセージを送出する。ブロック７８２に応答して、ＰＳＴＮ１０６は、ブロック７８２において、ＰＯＴＳ呼び出しレッグが確立されたことを示す。ブロック７８８において、ソフトスイッチ３４４は、媒体ゲートウェイ３４０に対して、２つの以前割り当てられたＰＣＭ音声パス終点を互いに接続するように命令する接続修正コマンドを送出する。ブロック７９０において、電話チャンネルが割り当てられ、レッグ３４２Ｃ，３４２Ｄ，および３４２Ｄを使用するなどして、媒体ゲートウェイ３４０からＰＳＴＮを通って二重モード加入者装置１３０への双方向音声パスが確立されることにより、従来の電話１５８から二重モード加入者装置１３０への音声リンクが完成する。
【０１３１】
上記のように、パス１５２上の着信音声呼び出しを示すＳＩＰ信号伝達メッセージをパス１５０上で受信した場合に、二重モード加入者装置１３０は、上述のブロック５２０，５６０，７３０，および７７４に関して説明したようなメッセージ情報を着信音声呼び出しに相関させる。この相関を促進させるには、いくつかの機構を使用することが可能である。一実施形態において、ソフトスイッチ１３４は、標準的なＰＳＴＮ機構に従って、一連の発信番号を割り当てる。ソフトスイッチ１３４からパス１５２を通って呼び出しが確立される場合、割り当てられた発信番号群から１つの番号が呼び出しに対して割り当てられ、標準的な発呼者ＩＤ手法に従ってパス１５２上を送信される。二重モード加入者装置１３０は、当該番号を、ソフトスイッチ１３４から生じたものであると認識し、よって、この呼び出しを最近受信されたまたはその次に受信されたＳＩＰ信号伝達メッセージに相関させる。一実施形態において、加入者装置は、呼び出しが受信されるときに送信されるＳＩＰ信号伝達メッセージから、番号群に関する情報を受信する。他の実施形態において、番号は、それ以前のある時に二重モード加入者装置１３０へ転送されて、二重モード加入者装置１３０内に記憶される。
【０１３２】
システム設計によっては、この手法は、呼び出しを誤認する可能性がある。例えば、２つの呼び出しがソフトスイッチから立て続けにルーティングされる場合、呼び出しの識別が二重モード加入者装置内で入れ替わる可能性がある。
【０１３３】
一実施形態において、ソフトスイッチは、この入れ替えエラーに対する対処を、２つの呼び出しのうちの１つの送信に遅延を挿入することによって行う。例えば、１つの呼び出しを加入者装置へ転送した後で、ソフトスイッチは、選択された保護帯域内で２つの呼び出しが転送されないように、次の呼び出しの送信を遅延させる。
【０１３４】
他の実施形態において、図４に示す事業者が設けたモデルまたは図６に示す事業者ゲートウェイモデルにおいて、発呼者ＩＤ（典型的には、第１および第２の着信音の間に挿入された音として搬送）を、特定の識別子に置き換えることができる。特定の識別子を加入者装置によって使用して、呼び出し開始要求を対応するＳＩＰ信号伝達メッセージに正確に相関させることができる。特に、図４および６のアーキテクチャは、ＰＳＴＮ上での送信を回避するという取り組みに向いており、よって、カスタマイズされた動作に対する操作を寄り柔軟に行うことができる。
【０１３５】
例えば、典型的には、発呼者ＩＤ情報は、ＰＳＴＮと、従来のＭＳＣとの間で、ＩＳＵＰメッセージ内のフィールドを使用して送信される。ＩＳＵＰメッセージは媒体ゲートウェイ３４０または事業者のソフトスイッチ３２０から生じるので、固有の発呼者ＩＤ識別子が挿入できる。二重モード加入者装置１３０は、この疑似発呼者ＩＤ識別子を、二重モード加入者装置へ送出されたＳＩＰ信号伝達メッセージ内の識別子に相関させる。このように、従来のセルラー音声レッグと、セッションを開始したＳＩＰメッセージとの間の相関を、より正確に識別することができる。
【０１３６】
上記のように、応答加入者開始の取り組みを使用することによって、加入者装置に自身の着信呼がソフトスイッチで受信された旨をデータパスを介して通知することができ、応答して、加入者装置は、ソフトスイッチへの再呼び出しを開始する。そのような場合、相関処理は、ソフトスイッチが主に行う。同様に、応答ソフトスイッチ開始手法（図１６を参照して後述）を使用すると、相関処理は、加入者装置が主に行う。
【０１３７】
図１６は、応答ソフトスイッチ開始手法を使用するシステムにおける加入者装置１３０によって実施されるブロックまたは処理のフローチャートである。応答ソフトスイッチ開始手法において、呼び出しがセルラーネットワーク上で二重モード加入者装置１３０から開始される場合に、二重モード加入者装置１３０は、セルラーネットワークのデータ搬送パス上で呼び出し開始メッセージを送出する。応答して、ソフトスイッチ１３４は、被呼者および二重モード加入者装置１３０へ呼び出しを開始する。その後、ソフトスイッチ１３４は、２つのレッグを切り換えて、上記と同様に呼び出しフロー手法を使用して音声呼び出しを完了する。
【０１３８】
図１６を再び参照して、呼び出し開始要求がユーザから受信されると、ブロック３４８においてフローが開始する。例えば、図８に戻って参照して、ユーザは、ユーザインターフェイス４１２を使用して、キーパッドに電話番号を入力できる。ブロック３５０において、要求に応答して、コントローラ４２０は、ＳＩＰプロセッサ４２４に対して、セルラーネットワークのデータ搬送パス上を送出される呼び出し開始メッセージを作成するように命令する。例えば、ＳＩＰプロセッサ４２４は、被呼者および二重モード加入者装置１３０がどれであるかを特定するＳＩＰ開始要求メッセージを作成する。このメッセージは、セルラープロセッサ４２６によって、セルラーフロントエンド４０２を使用して、セルラーネットワークのデータ搬送パス上を送出される。
【０１３９】
ソフトスイッチ１３４がＳＩＰ開始要求メッセージを受信した場合には、ソフトスイッチ１３４は、二重モード加入者装置１３０への呼び出しを、二重モード加入者装置１３０をそのセルラー電話番号によって被呼者であると示すＰＳＴＮ呼び出し開始メッセージをＰＳＴＮへ送出することなどによって開始する。代わりに、ソフトスイッチ１３４は、媒体ゲートウェイ３４０のような媒体ゲートウェイへＩＰ符号化メッセージを送出することもできる。また、ソフトスイッチ１３４は、実際の被呼者への呼び出しを開始して、これらの２つの呼び出しレッグを切り換えて、音声呼び出しを完成させる。その間、二重モード加入者装置１３０は、ブロック３５２において、セルラー呼び出し開始メッセージを待つ。
【０１４０】
セルラー呼び出し開始がセルラーフロントエンド４０２上で受信されると、セルラープロセッサ４２６は、コントローラ４２０へ知らせる。ブロック３５４において、コントローラ４２０は、着信呼を以前送出された開始要求と相関させる。一実施形態において、ソフトスイッチ１３４は、二重モード加入者装置１３０を発呼者として識別する。例えば、ソフトスイッチ１３４は、発呼者ＩＤを使用して、発信番号を二重モード加入者装置１３０へ割り当てられたＰＢＸ電話番号として特定し、コントローラ４２０は、この認識を使用して、相関処理を促進する。相関がうまくいった場合には、コントローラ４２０は、セルラープロセッサ４２６に対して、呼び出しを自動的に受け入れるように命令する。コントローラ４２０は、ユーザインターフェイス４１２に対して、ユーザが呼び出し開始者である旨をユーザに知らせるように命令する必要はない。実際、多くの場合、応答ソフトスイッチ開始手法が使用されていることにユーザは気づかない。この点で、ソフトスイッチ１３４は、二重モード加入者装置１３０と被呼者との間で音声呼び出しが確立されるまで、呼び出しフローを継続する。
【０１４１】
上記のように、一旦音声呼び出しが確立されると、二重モード加入者装置１３０は、音声呼び出しを、ソフトスイッチ１３４へ送出されたＳＩＰ信号伝達で制御できる。例えば、ブロック３５８において、コントローラ４２０は、電話会議が確立されるように別の発呼者を既存の通話に加える要求をユーザインターフェイス４１２から受信する。ブロック３６０において、コントローラ４２０は、ＳＩＰプロセッサ４２４に対して、ＳＩＰメッセージを作成するように命令して、それをセルラーフロントエンド４０２へ転送して、ソフトスイッチ１３４へ送信するように命令する。
【０１４２】
上記のように、インターコムサービスを提供できる。移動中の役員の例に再び戻って、役員は職場内にいる間に自身への電話をマリーに選別してもらう習慣になっており、着信呼が役員のＰＢＸ電話番号にある場合はいつでも、役員の居場所に関係なく、まずマリーの電話が鳴るようにシステムを構成していると仮定する。一旦マリーが発呼者と話をすれば、マリーは役員のボブと連絡を取りたいと思うことが多い。マリーは、自身の送受話器上のインターコムボタンを押す（またはそうでなければ、有線または無線装置を使用して、自身の意図をソフトスイッチ１３４へ信号で知らせる）。ソフトスイッチ１３４は、二重モード加入者装置１３０への通常のセルラー呼び出しを開始する（応答加入者発呼手法が使用されていないと仮定する）。また、ソフトスイッチ１３４は、着信呼がマリーからであり、二重モード加入者装置１３０はとうがい呼び出しを自動的に受け入れるべきであることを示す並列ＳＩＰメッセージを送出する。このように、インターコム機能が始動する。二重モード加入者装置１３０が自動返答して、音声搬送チャンネルが確立されると、マリーは口頭でボブに対して着信呼を知らせることができる。ボブは、転送を受け入れるかまたは拒絶するかの意思を高等で知らせることができる。代わりに、ボブは、手動で自身の意図を知らせることもできる。マリーは、確立された音声搬送チャンネルを使用して、転送を実現することができる。
【０１４３】
図２は単一のＷＬＡＮを含むシステムの実施例を示すが、システムは、複数の有線または無線ＬＡＮを容易に含むことが可能である。例えば、ある企業が２つの互いに異なる敷地を有し、それぞれが独自のＷＬＡＮを有する場合、またはユーザが家庭に設置された有線または無線ＬＡＮを有する場合がある。ソフトスイッチは、２つの場所のうちの１つにあるか、もしくはセントレックスモデルまたは事業者中心モデル内にあるかに関わらず、加入者装置が第１のＷＬＡＮの受信可能領域を離れて、その後第２のＷＬＡＮの受信可能領域へ入るにつれて、上述したのと同一のやり方で呼び出しルーティングを提供できる。同一のやり方で、事業者中心モデルは、異種のネットワークからのユーザを受け入れるのに向いている。例えば、場所Ａにある会社Ａに対するＷＬＡＮサービスと、場所Ｂにある会社Ｂに対するＷＬＡＮサービスとを事業者が提供している場合、場所ＢにあるＷＬＡＮの受信可能領域内にある会社Ａに関連付けられた加入者装置は、ＷＬＡＮ上でサービスの提供を受けてもよい。
【０１４４】
二重モード加入者装置がセルラー受信可能領域にあるとき、ＩＰ搬送セルラーデータパス（図２のパス１５０など）が使用可能でない場合は、ＳＩＰメッセージを、従来のセルラー音声搬送パス（図２のパス１５２など）上で送信される簡易メッセージサービス（ＳＭＳ）を使用して、音声搬送パス（図２のパス１５２など）上で送出してもよい。加えて、帯域内デュアルトーンタ周波数（ＤＴＭＦ）信号伝達またはコンピュータモデムトーンを使用して、ＳＩＰ信号伝達を、音声搬送パス上でセルラーネットワークを通じて行うこともできる。
【０１４５】
一実施形態において、セルラー事業者は、ＩＰ搬送セルラーデータパス（図２のパス１５０など）に沿った任意の箇所において、例えばＳＧＳＮまたはＧＧＳＮノードにおいて、ＳＩＰメッセージを復号化することを選択してもよい。一旦識別されると、これらのメッセージは、所望どおりに優先することも遅延させることもできる。
【０１４６】
代わりに、遠隔ユニットをＷＬＡＮ内で動作するように構成しない。ＳＩＰ機能は、ＷＬＡＮまたは無線構内情報通信網さえも実装することなく、上述のようにセルラーシステムに渡って拡張することができる。
【０１４７】
従来の基地局に比べてはるかに限定的な受信可能領域を提供するマイクロセルラー基地局を構築するための民間の試みが数多くなされてきている。これらのマイクロセルラー基地局は、室内における解決策として販売されている。本明細書において説明したシステムおよび方法をそのようなマイクロセルラーシステムに組み込んで、ＳＩＰ機能をマイクロセルラーシステムに対して提供することができる。
【０１４８】
セルラーネットワークを拡張して８０２．１１ネットワークのようにみえるものを構築する民間の試みがいくつかなされてきている。これらのアーキテクチャでは、セルラーネットワークをコアとして指定し、各ＷＬＡＮを他の単なる基地局として扱う。これらのアーキテクチャにおいては、典型的には、ＭＳＣを全領域についての中央情報機関として指定する。多くのＭＳＣおよびＳＧＳＮは、典型的には約１００個といった限られた数の基地局を処理するように設計されているので、アーキテクチャは、実際のシステムにおいて収容する必要がある数千のＷＬＡＮサイトを収容するように拡大することができない。これらのアーキテクチャは、８０２．１１のインフラストラクチャからＳＩＰ機能を奪い、機能の低い従来のセルラーインフラストラクチャのように見えるように構成している。これらのアーキテクチャでは、ファイバ、ＤＳＬ、ケーブル、または固定無線などの扱いにくいラストマイルの搬送手段を使用してＷＬＡＮをコアに接続する必要があることが多い。対照的に、上述のアーキテクチャによれば、セルラーシステムは、ＶｏＩＰネットワークのラストマイルとしての役割を果たし、ＳＩＰ機能を提供する。
【０１４９】
数多くの代替実施形態が、当業者には容易に明らかであろう。例えば、図１８は、補助ソフトスイッチを実装するネットワークを示すネットワーク図である。図１８の機能を理解するために、図６と対照してみる。図６において、ソフトスイッチ３４４は、図１４および１５の呼び出しフローに示すような媒体ゲートウェイ３４０を直接制御する。図１８によれば、補助ソフトスイッチ３４６は、ソフトスイッチ３４４を従来のＭＳＣ１４０へ結合させる。補助ソフトスイッチ３４６には、図５に示す媒体ゲートウェイコントローラ１６４と同様の媒体ゲートウェイコントローラが含まれる。よって、ソフトスイッチ３４４は、標準のＶｏＩＰ信号伝達および伝送を使用して、補助ソフトスイッチ３４６を使用してセルラー音声搬送呼び出しを開始することができる。補助ソフトスイッチ３４６は、ＩＰからＰＳＴＮへの音声ゲートウェイとして機能するのに自己充足しており、ＩＰ信号伝達および伝送をパス３４２Ｃ上で従来のＭＳＣ１４０と通信を行うのに必要な従来のプロトコルに変換する。本実施形態の利点と思われることの１つは、そうでなければソフトスイッチ３４４と、媒体ゲートウェイ３４０との間で生じるであろう追加の媒体ゲートウェイ制御メッセージ伝達を回避することによって、従来のセルラー音声チャンネル呼び出し設定時間が削減されることである。他の利点は、同一の追加のメッセージ伝達を回避することによる、ソフトスイッチ３４４への負担が軽減されることである。さらに他の利点は、補助ソフトスイッチ３４６によって処理される接続の呼び出し状態および資源状態を維持する必要がないので、ソフトスイッチ３４４における資源の使用が軽減されることである。さらに他の利点は、補助ソフトスイッチ３４６を実施するのに特に使用される設備およびソフトウェアの選択が、ソフトスイッチ３４４を実施するのに使用される設備およびソフトウェアの選択とは独立していることである。補助ソフトスイッチ３４６は、ソフトスイッチ３４４と、従来のＭＳＣ１４０と共に、単独で相互使用できるので、より成熟した、ベンダーを問わない標準的なＶｏＩＰおよびＰＳＴＮプロトコルを補助ソフトスイッチ３４６において使用できる。
【０１５０】
図１９は、アイドルハンドオフに関する二重モード加入者装置の動作を示す状態図である。アイドルハンドオフは、二重モード加入者装置がアイドルモード（例えば、進行中の有効な呼び出しがない場合）である場合に、主要な制御チャンネルと、二重モード加入者装置の動作の１つのモードを決定する機構である。図１９は、登録処理を示すフローチャートである図９を補完するものである。
【０１５１】
二重モード加入者装置１３０のような二重モード加入者装置に電力が投入されると、初期状態９００となる。一実施形態において、二重モード加入者装置１３０は、まず、ＷＬＡＮからの信号を取得しようとして、ＷＬＡＮ上での動作が動作の１つのモードとなる。二重モード加入者装置１３０がＷＬＡＮ信号を取得した場合には、二重モード加入者装置１３０は、状態９０２へ遷移して、例えばＳＩＰ登録メッセージまたは登録更新メッセージを使用して、ＷＬＡＮ１３２によってソフトスイッチ１３４に登録する。一実施形態において、登録は、二重モード加入者装置１３０に関連したＩＰアドレスに基づいて行われる。ソフトスイッチ１３４は、二重モード加入者装置１３０に関連したホーム局であってもよいし、またはホストスイッチ支援ローミングであってもよい。ソフトスイッチがホストソフトスイッチである場合には、その結果として、登録メッセージを転送または作成して、加入者装置のホームソフトスイッチへ送信してもよい。ホームソフトスイッチは、その後、単純な登録確認を示すメッセージでホストソフトスイッチへ応答するか、または、他の実施形態においては、加入者装置に対応する性能および許可された機能に関する追加の情報と共に応答してもよい。
【０１５２】
上記のように、一実施形態において、ＷＬＡＮ上での動作の方が、セルラーネットワークにおける動作よりも好都合である。この場合に、登録によって、０．９などの高いＱパラメータのコンタクトヘッダを指定する。Ｑパラメータは、標準的なＳＩＰシステムにおいて優先度を確立する随意の機構である。ソフトスイッチは、優先度を示す何らかの値またはパラメータを記憶してもよい。代替実施形態において、ネットワークがＷＬＡＮよりも好都合であってもよい。
【０１５３】
二重モード加入者装置１３０は、セルラーネットワーク１４１などの広域ネットワークを取得するか、電源が切られるか、ＷＬＡＮとの接続を失うか、ドックに入るか、または登録取り消しが要求されるまでは、状態９０２のままでいる。図１９に示すように、二重モード加入者装置がセルラーネットワーク１４１を検出した場合には、二重モード加入者装置１３０は、状態９０４へ遷移して、例えばＳＩＰ登録メッセージまたは登録更新メッセージを使用して、セルラーネットワーク１４１によって、データ搬送パスにより、ソフトスイッチ１３４に登録する。代わりに、登録は、ＷＬＡＮ上で送出されることも可能である。二重モード加入者装置１３０は、そのセルラー電話番号、そのＩＰアドレス、または他の識別子を指定することによって登録してもよい。ＷＬＡＮ上での動作が好都合である場合には、セルラーシステム上での動作のＱパラメータをＷＬＡＮの動作のＱパラメータより低く設定する。例えば、セルラーシステム上での動作のＱパラメータを０．１に設定する。典型的には、この登録は、通常のセルラー動作に従って二重モード加入者装置が直接セルラーネットワークに行う任意の登録に追加されるものである。セルラーネットワークインフラストラクチャへの登録は、音声搬送パスに関連したオーバヘッドチャンネルを介して、または別個の制御チャンネルを介して生じてもよい。二重モード加入者装置がセルラーシステムの受信可能領域外に移動した場合には、状態９０２へ遷移する。二重モード加入者装置は、ソフトスイッチおよびセルラーネットワークインフラストラクチャへの登録取り消しを行ってもよい。そのようなことが生じやすいのは、ＷＬＡＮサービスは提供されているがセルラーサービスは浸透できない大きなビルにユーザが入る場合である。
【０１５４】
二重モード加入者装置がＷＬＡＮの受信可能領域外へ移動した場合には、状態９０４から状態９０６へ遷移する。この場合、二重モード加入者装置は、セルラーネットワークのデータ搬送パス上でのＷＬＡＮ登録を取り消すか、または現在装置が存在するＷＬＡＮ上での登録を取り消してもよい。初期状態９００から、二重モード加入者装置１３０がまずセルラーネットワークを取得したバアには、状態９０６へ遷移する。状態９０４から状態９０８への単一の接続が図１９には示してあるが、状態９０２，９０４，または９０６のいずれの状態から電源が切られると、二重モード加入者装置は、状態９０８に入って、セルラー登録およびＷＬＡＮ登録の両方を取り消す。これらの登録取り消し処理は、セルラーネットワークのデータ搬送パス、ＷＬＡＮ、またはこれらの組み合わせ上で実行されてもよい。一旦登録されると、二重モード加入者装置は、断続的にそのセルラーネットワークとＷＬＡＮ登録を更新して、ソフトスイッチ内で常に最新であるようにする。
【０１５５】
二重モード加入者は、有効な呼び出し中に、ＷＬＡＮの受信可能領域内からＷＬＡＮの受信可能領域外へ移動することがある。呼び出しの中断を回避するために、ハンドオフ機構をシステムに搭載可能である。システムの一実施形態においては、ＷＬＡＮからセルラーネットワークへのハンドオフが提供され、セルラーネットワークからＷＬＡＮへのハンドオフは提供されない。他の実施形態においては、ＷＬＡＮと、セルラーネットワークとの間のハンドオフが、各方向において提供される。
【０１５６】
図２０は、ＷＬＡＮからセルラーネットワークへのハンドオフを示す呼び出しフローである。そのようなハンドオフは、ユーザがＷＬＡＮによってカバーされたホーム構内を退出する場合に使用されうる。図２０において、図面の効率性のために、遠端接続は示していない。なぜなら、遠端ユーザに関する動作に対して変更は生じないからである。
【０１５７】
図２０において、音声接続が二重モード加入者装置１３０との間でＷＬＡＮ１３２上で生じる。図２０において、点線矢印は、ＷＬＡＮ上を送信される信号伝達を示す。実線矢印は、セルラーネットワーク上を送出される信号伝達を示す。
【０１５８】
図２０のブロック９１０〜９１６を介して、呼び出しが二重モード加入者装置１３０に対して行われるが、二重モード加入者装置１３０が呼び出しを確立すれば、ハンドオフ機構も等しく適用される。ブロック９１０において、ソフトスイッチ１３４は、例えばＳＩＰ開始要求メッセージを、ＷＬＡＮ１３２上で二重モード加入者装置１３０へ送出する。ブロック９１２において、二重モード加入者装置１３０は、ＳＩＰ呼び出し中指示を送出することによって応答する。二重モード加入者装置１３０は、呼び出しを受け入れて、ブロック９１４においてＳＩＰ  ＯＫメッセージをソフトスイッチ１３４へ送り返すことによって応答する。ブロック９１６において、双方向ＶｏＩＰ音声チャンネルが、二重モード加入者装置１３０と、ソフトスイッチ１３４との間でＷＬＡＮ１３２上で確立される。
【０１５９】
ブロック９１８において、二重モード加入者装置１３０は、セルラーシステムへのハンドオフが保証されると決定する。この決定は、いくつかのやり方のうちの１つで行われうる。一実施形態において、二重モード加入者装置１３０は、自動利得制御（ＡＧＣ）値または受信信号強度指標（ＲＳＳＩ）などのＷＬＡＮ信号強度パラメータを監視する。他の実施形態において、二重モード加入者装置１３０は、パケット誤り率、信号対雑音比、または他のリンク品質指標を監視してもよい。さらに他の実施形態において、二重モード加入者装置１３０は、最大許容データ速度、現在のデータ転送速度、または他のリンク動作パラメータを監視してもよい。さらに他の実施形態において、二重モード加入者装置１３０は、これらのパラメータのうちのいくつかを使用して、適切なハンドオフトリガを決定する。
【０１６０】
代わりに、ソフトスイッチ１３４が適切なハンドオフトリガを決定する。例えば、ソフトスイッチは、性能パラメータを直接またはアクセスポイントから情報を収集することによって監視できる。この場合に、ソフトスイッチ１３４は、セルラー接続を自身からの誘因で開始し、例えばＳＩＰ開始要求または登録要求メッセージを送出して、二重モード加入者装置１３０に対してハンドオフを通知する。
【０１６１】
さらに他の代替実施形態において、ＷＬＡＮアクセスポイントがハンドオフトリガを監視して、ハンドオフ要求指示を関連するソフトスイッチに生じさせる。アクセスポイントは、信号強度、リンク品質、またはリンク動作パラメータを含む加入者装置と同じ種類のパラメータを監視できる。
【０１６２】
特定のアクセスポイント（またはアクセスポイントの特定のセクタ）を通じての通信を使用して、ハンドオフをトリガできる。例えば、特定のアクセスポイントの受信可能領域は、出入口周辺、受け付け場所内、または駐車場内などの構内の出口ポイントにあってもよい。通信がこれらの出口領域のアクセスポイントに転送された場合に、二重モード加入者装置１３０またはソフトスイッチ１３４がセルラーシステムへのハンドオフを開始する。
【０１６３】
いずれの場合にも、図２０において、ブロック９１８において、二重モード加入者装置１３０は、セルラーネットワークへのハンドオフが適切であると決定する。応答して、二重モード加入者装置１３０は、ブロック９２０において、ＳＩＰ登録を送出する。図２０において、ブロック９２０についての信号伝達は点線で示されており、信号伝達がＷＬＡＮ１３２上で送出されることを示す。しかしながら、信号伝達は、セルラーネットワーク１４１のデータ搬送パス上でも同様の効果を有して送出可能である。
【０１６４】
ＷＬＡＮ１３２からの音声ストリームをセルラーネットワーク１４１の音声搬送パスへ遷移させるために、ＰＣＭ音声接続が、セルラーネットワーク１４１の音声搬送パス上で確立される。セルラー音声接続は、音声搬送トラフィックのハンドオフが生じる前に、開始可能であり、かつ、さらには完全に確立可能である。ＳＩＰメッセージは、セルラー音声接続の開始より前、後、またはそれと同時に生じてもよい。
【０１６５】
これらの順序付けオプション間の選択は、二重モード加入者装置１３０のアーキテクチャに左右されてもよい。図８を再び参照して、ＷＬＡＮフロントエンド４００と、セルラーフロントエンド４０２は、アンテナなどのいくつかの共通の要素を共有してもよい。そうであれば、２つのパスが、スイッチまたはカプラを使用して結合されてもよい。スイッチが、ＲＦ電力をＷＬＡＮフロントエンド４００またはセルラーフロントエンド４０２のいずれかに接続するが、一般的には、両方のフロントエンド要素をアンテナに同時に接続することはできない。カプラ、ダイプレクサ、デュプレクサ、または他の電力共有機構を使用する場合は、同時動作が可能であり、システム設計者は、音声性能の最大の利点をブロックに指示することが寄り自由にできる。一般的に、カプラを使用すると、直流電力要件が増加し、加入者装置の感度が低下するので、この理由で、スイッチが好都合かもしれない。図２０において、加入者装置は、同時動作が完全に可能である。
【０１６６】
ＳＩＰ登録に応答して、ブロック９２２において、ソフトスイッチ１３４は、ＳＩＰ開始要求メッセージ（ＳＩＰ  ｒｅ−ＩＮＶＩＴＥなど）を二重モード加入者装置１３０へ送出する。図２０において、ブロック９２２および９２４についての信号伝達は、点線で示されており、信号伝達がＷＬＡＮ１３２上で送出されることを示す。しかしながら、信号伝達は、セルラーネットワーク１４１のデータ搬送パス上でも同一の効果で送出できる。また、ソフトスイッチ１３４は、ブロック９２６において、セルラーネットワークの音声搬送パス上での音声接続を確立するために、二重モード加入者装置１３０をそのセルラー電話番号によって特定するＩＳＵＰ  ＩＡＭをＰＳＴＮ１０６へ送出する。ブロック９２８において、二重モード加入者装置１３０の代わりとなるＰＳＴＮ１０６は、ＡＣＭで応答する。ブロック９２８に応答して、ＰＳＴＮ１０６は、ブロック９３０において、セルラー呼び出し開始を送出する。ブロック９３２において、二重モード加入者装置１３０は、呼び出しを自動的に受け入れる。また、ブロック９３２において、二重モード加入者装置１３０は、着信セルラー音声呼び出しを、進行中のＷＬＡＮ音声呼び出しと相関させる。二重モード加入者装置１３０は、ブロック９３４において、セルラー呼び出し受け入れで応答する。ブロック９３６において、ＰＳＴＮ１０６は、セルラー呼び出し受け入れに対して、ＩＳＵＰ  ＡＮＭで応答する。上述のように、これらのＰＳＴＮブロックは、ＳＩＰ関連ブロックの前、後、またはそれと並行して生じてもよい。
【０１６７】
ブロック９３８において、標準の音声チャンネルがソフトスイッチ１３４から二重モード加入者装置１３０へ、セルラーネットワーク１４１の音声搬送パス上で確立される。まだそうなっていない場合には、ブロック９４０および９４２において、ソフトスイッチ１３４と、二重モード加入者装置１３０とは、それぞれ、セルラーネットワーク１４１上で音声信号の送受信を開始する。一実施形態において、ブロック９４０および９４２は、ソフトスイッチ１３４がＰＣＭフレームをセルラーネットワーク１４１上で受信開始すると生じる。ソフトスイッチ１３４は、ＷＬＡＮ１３２またはセルラーネットワーク１４１上で、スイッチ指示を二重モード加入者装置１３０へ送出することができる。代わりに、二重モード加入者装置１３０は、ＰＣＭフレームの受信またはＶｏＩＰパケットの譲与を利用して、スイッチをトリガすることができる。
【０１６８】
代わりに、応答加入者発呼手法（上述）を使用して、呼び出し接続を確立することもできる。一実施形態において、応答加入者発呼手法を使用すれば、ブロック９２０におけるＳＩＰ登録の送信は必要ない。ブロック９１８のハンドオフ決定に応答して、二重モード加入者装置１３０は、ソフトスイッチ１３４への呼び出しを、セルラーネットワーク１４１の音声搬送パス上で開始する。ソフトスイッチ１３４は、有効な音声呼び出しに参加している二重モード加入者装置からのＷＬＡＮ１３２上での着信セルラー呼び出しの受信を、ハンドオフを開始するためのトリガとして使用する。ソフトスイッチ１３４は、並列ＳＩＰ信号伝達の使用の有無を問わず、呼び出し接続を切り換え可能である。
【０１６９】
図２１は、セルラーネットワークからＷＬＡＮへのハンドオフを示す呼び出し麩ローズである。そのようなハンドオフは、セルラーネットワークの音声搬送パス上の音声呼び出しが確立している間に、ユーザがＷＬＡＮによってカバーされた自身のホームに入る際に使用できる。図２１において、点線矢印は、ＷＬＡＮ上を送信された信号伝達を示す。直線矢印は、セルラーネットワーク上を送出された信号伝達を示す。
【０１７０】
図２１において、遠端接続は示していない。なぜなら、遠端ユーザに関する動作に対して変更は生じないからである。セルラー受信可能領域がＷＬＡＮの受信可能領域内で充分であれば、セルラーシステムからＷＬＡＮへのハンドオフは、厳密には必要ない。
【０１７１】
図２１におけるブロック９５０において、セルラーネットワークの音声搬送パス上で標準的なセルラー音声チャンネルが確立されている。その後、二重モード加入者装置１３０が、ＷＬＡＮ１３２の受信可能領域に入った。一旦二重モード加入者装置１３０がＷＬＡＮ信号を取得すると、二重モード加入者装置１３０は、１つまたはそれ以上のパラメータ（図２０に関して先に説明したようなものなど）を監視して、ハンドオフが生じるべきかを決定する。これらのパラメータは、セルラーネットワークと、ＷＬＡＮとの間の急速で連続的なハンドオフを避けるようにして選ばれるべきである。例えば、二重モード加入者装置１３０は、出口領域のアクセスポイントの受信可能領域への遷移を使用して、セルラーシステムへのハンドオフをトリガする場合には、ＷＬＡＮへのハンドオフを生じさせる前に、出口領域でないアクセスポイントを取得するまでは待つようにしてもよい。代わりに、二重モード加入者装置１３０またはソフトスイッチ１３４は、トリガ用のパラメータがヒステリシスレベルを超えるまで待つようにしてもよく、ヒステリシスレベルは、登録中に取り決めてもよい。ソフトスイッチ１３４がハンドオフの適切な時間を決定した場合には、ＳＩＰ  ｒｅ−ＩＮＶＩＴＥまたは登録要求メッセージなどを送出して、二重モード加入者装置１３０に知らせる。
【０１７２】
この場合、図２１のブロック９５２において、二重モード加入者装置１３０がＷＬＡＮ１３２へのハンドオフが保証されると決定したと仮定する。ブロック９５４において、二重モード加入者装置１３０は、ＳＩＰ登録メッセージをソフトスイッチ１３４へ送出する。応答して、ソフトスイッチ１３４は、ブロック９５６において、ＳＩＰ  ｒｅ−ＩＮＶＩＴＥを二重モード加入者装置１３０へ送出する。ブロック９５８において、二重モード加入者装置１３０は、ＳＩＰ  ＯＫメッセージで応答する。ＳＩＰ  ＯＫメッセージまたは他の取り決められたまたはあらかじめ規定されたトリガに応答して、ソフトスイッチ１３４および二重モード加入者装置１３０は両方共、ブロック９６０において、ＷＬＡＮ１３２上で音声の送出を開始する。ブロック９６２において、ソフトスイッチ１３４および二重モード加入者装置１３０は両方共、セルラーネットワーク１４１の音声搬送パス上の音声パスを解放する。
【０１７３】
図２０および２１に関して説明したＳＩＰメッセージ伝達は、他の図面のうちのいくつかに対してもそうであるが、ＳＩＰプロトコル規格とは異なっていてもよいし、それを拡大したものであってもよい。標準的な動作に対する変更も可能である。なぜならば、ソフトスイッチ１３４および二重モード加入者装置１３０は両方共、本発明の実施形態に係る動作を提供するために特に設計されたものであり、カスタマイズされたメッセージ伝送を扱うように設計可能である。標準的なＳＩＰシステムへ転送される標準的でないメッセージも、ソフトスイッチ１３４によって変換可能である。
【０１７４】
特に、標準的なＳＩＰ  ＩＮＶＩＴＥまたはｒｅ−ＩＮＶＩＴＥメッセージは、セッション記述プロトコル（ＳＤＰ）を含む。ＳＤＰは、ストリーミングされた媒体の形式、タイミング、および発信元を指定する。ＳＤＰは、ＳＩＰメッセージ伝達を使用して確立すべき対話を記述する手段である。ＳＤＰ内では、「ｃ」フィールドを使用して、ネットワークの種類、接続の種類、および接続アドレスが確立される。現在、ＩＰアドレスのようなインターネット接続型のみがサポートされている。一実施形態において、値の新たな組がＰＯＴＳシステムに対応して確立されて、セルラー電話を指定する。
【０１７５】
図２２は、ハンドオフ処理２２００のフローチャートであって、無線二重モード加入者装置１３０を無線システム１００内の無線ホスト装置１０へ登録するハンドオフ機構の一実施形態であって、本発明の一実施形態に従って構成および動作可能である。ハンドオフ処理２２００は、ＷＬＡＮアクセスをパーソナル移動通信システム（ＰＣＳ）ネットワークよりも好都合なものとして示す。セルラーおよびＰＣＳシステムは、本実施形態例においては、交換可能に使用されてもよいことが当業者に理解される。ブロック２２０２において、二重モード加入者装置１３０は、ＷＬＡＮを検索する。判断ブロック２２０４においてＷＬＡＮを検出した場合には、ＳＩＰプロセッサ４２４は、ブロック２２０６において、ＳＩＰ  ＩＮＶＩＴＥなどのＳＩＰ登録メッセージをＷＬＡＮ上でソフトスイッチ１３４へ送出して、フローはブロック２２１４へ続く。
【０１７６】
判断ブロック２２０４において新たなＷＬＡＮが見つからなかった場合には、二重モード加入者装置１３０は、ブロック２２０８において、セルラーまたはＰＣＳネットワークを検索する。新たなセルラーまたはＰＣＳネットワークが検出された場合には、二重モード加入者装置１３０がブロック２２１２においてセルラーネットワークに登録するには、互いに異なる多数のやり方がある。一実施形態において、セルラープロセッサ４２６は、ソフトスイッチ１３４への呼び出しを開始して、ＳＩＰ  ＩＮＶＩＴＥなどのＳＩＰ登録メッセージを送出する。ソフトスイッチ１３４は、ＳＩＰ登録メッセージをセルラーネットワークから受信して、ハンドオフが生じたことを認識し、ＷＬＡＮ接続を切断する。他の実施形態において、一実施形態において、二重モード加入者装置１３０は、ＳＩＰ  ＩＮＶＩＴＥなどのＳＩＰ登録メッセージを既存のＷＬＡＮ接続上で送出して、ソフトスイッチ１３４に対して、二重モード加入者装置１３０への呼び出しを開始したことを伝える。その後、ソフトスイッチ１３４は、二重モード加入者装置１３０を呼び出し、二重モード加入者装置１３０は呼び出しに応えて、以前の既存のＷＬＡＮ接続を切断する。本実施形態において、ソフトスイッチ１３４は、ハンドオフが生じたことを知る必要はなく、新たな呼び出しが開始されたことだけを知る。フローはブロック２２１４へ継続する。ネットワークが検出されなければ、フローはブロック２２０２へ戻る。
【０１７７】
ブロック２２１４において、二重モード加入者装置１３０は、ソフトスイッチ１３４が、ＳＩＰ  １００  ＴＲＹＩＮＧなどの、ソフトスイッチ１３４が呼び出しを生じさせようと試行していることを示す受領確認メッセージで応答することによって登録メッセージを受信したかどうかを決定する。受領確認が受信されなければ、フローはブロック２２０２へ戻る。そうでなければ、フローはブロック２２１６へ続き、二重モード加入者装置１３０は、ＷＬＡＮまたはセルラーネットワークの監視を継続する。装置１３０は、ブロック２２１８において、ＷＬＡＮまたはセルラーネットワークの受信可能領域に留まっている間、上述のように、ブロック２２１６において、ネットワークの品質を監視する。ネットワークの品質が低下した場合（例えば、装置１３０が受信可能領域を離れた場合、またはそうでなければ信号品質が低下した場合）、装置１３０は、ブロック２２０２において、新たなＷＬＡＮの検索を開始する。
【０１７８】
図２３は、代替ハンドオフ処理２３００のフローチャートであって、無線二重モード加入者装置１３０を無線システム１００内の無線ホスト装置１０へ登録するハンドオフ機構の一実施形態であって、本発明の一実施形態に従って構成および動作可能である。ハンドオフ処理２３００は、セルラーまたはパーソナル移動通信システム（ＰＣＳ）ネットワークをＷＬＡＮよりも好都合なものとして示す。上述したように、セルラーおよびＰＣＳシステムは、本実施形態例においては、交換可能に使用されてもよいことが当業者に理解される。
【０１７９】
ブロック２３０２において、二重モード加入者装置１３０は、セルラーまたはパーソナル移動通信システム（ＰＣＳ）ネットワークを検索する。判断ブロック２３０４においてそのようなネットワークを検出した場合には、セルラープロセッサ４２６は、ブロック２３０６において、セルラーネットワークに登録する。二重モード加入者装置１３０がセルラーネットワークに登録するには、互いに異なる多数のやり方がある。一実施形態において、二重モード加入者装置１３０は、ソフトスイッチ１３４への呼び出しを開始して、ＳＩＰ  ＩＮＶＩＴＥなどのＳＩＰ登録メッセージを送出する。ソフトスイッチ１３４は、ＳＩＰ登録メッセージをセルラーネットワークから受信して、ハンドオフが生じたことを認識し、ＷＬＡＮ接続を切断する。他の実施形態において、一実施形態において、ＳＩＰプロセッサ４２４は、ＳＩＰ  ＩＮＶＩＴＥなどのＳＩＰ登録メッセージを既存のＷＬＡＮ接続上で送出して、ソフトスイッチ１３４に対して、二重モード加入者装置１３０への呼び出しを開始したことを伝える。その後、ソフトスイッチ１３４は、二重モード加入者装置１３０を呼び出し、二重モード加入者装置１３０は呼び出しに応えて、以前の既存のＷＬＡＮ接続を切断する。本実施形態において、ソフトスイッチ１３４は、ハンドオフが生じたことを知る必要はなく、新たな呼び出しが開始されたことだけを知る。フローはブロック２３１４へ継続する。
【０１８０】
ブロック２３０４において新たなネットワークが検出されなければ、二重モード加入者装置１３０は、ブロック２３０８において、ＷＬＡＮを検索する。ＷＬＡＮが検出されると、二重モード加入者装置１３０は、ＷＬＡＮとの接続を確立する。ブロック２３１２において、ＳＩＰ  ＩＮＶＩＴＥなどのＳＩＰ登録メッセージが、ＷＬＡＮ上をソフトスイッチ１３４へ送出され、フロー張ブ２３１４へ続く。ネットワークが検出されなければ、フローはブロック２３０２へ戻る。
【０１８１】
ブロック２３１４において、二重モード加入者装置１３０は、ソフトスイッチ１３４が、ＳＩＰ  １００  ＴＲＹＩＮＧなどの、ソフトスイッチ１３４が呼び出しを生じさせようと試行していることを示す受領確認メッセージで応答することによって登録メッセージを受信したかどうかを決定する。受領確認が受信されなければ、フローはブロック２３０２へ戻る。そうでなければ、フローはブロック２３１６へ続き、二重モード加入者装置１３０は、ＷＬＡＮまたはセルラーネットワークの監視を継続する。装置１３０は、ブロック２３１８において、ＷＬＡＮまたはセルラーネットワークの受信可能領域に留まっている間、上述のように、ブロック２３１６において、ネットワークの品質を監視する。ネットワークの品質が低下した場合装置１３０は、ブロック２３０２において、新たなセルラーネットワークの検索を開始する。
【０１８２】
開示された実施形態の上記説明は、当業者が本発明を作成または使用できるように提供されている。これらの実施形態に対する様々な修正が、当業者には容易に明らかであり、本明細書において規定された原理は、本発明の精神または範囲から逸脱することなく、他の実施形態に適用可能である。よって、本発明は、本明細書に示す実施形態に限定されることが意図されてはおらず、本明細書において開示された原理および新規の特徴と整合性のある最も広い範囲が与えられるべきものである。
【図面の簡単な説明】
【０１８３】
これらの図面を通して、同様の参照番号は、同様の構成要素を指定するために使用される。
【図１】図１は、無線の音声をＩＰに載せる機能を実装するネットワークの実施形態を示すネットワーク図である。
【図２】図２は、ネットワークの実施形態をセルラーシステムにおけるＳＩＰ機能と共に示すネットワーク図である。
【図３】図３は、無線構内情報通信網を前提としてソフトスイッチが設置されているネットワークの実施形態を示すネットワーク図である。
【図４】図４は、ソフトスイッチがセルラーネットワーク設備に関連付けられているネットワーク図である。
【図５】図５は、ソフトスイッチの実施形態のブロック図である。
【図６】図６は、ソフトスイッチと、移動体切り換えセンターとの間に媒体ゲートウェイを実装するネットワークの実施形態を示すネットワーク図である。
【図７】図７は、二重モード加入者装置の実施形態の図である。
【図８】図８は、二重モード加入者装置の実施形態のブロック図である。
【図９】図９は、二重モード加入者装置がその位置を登録する処理の実施形態のフローチャートである。
【図１０】図１０は、ＩＰ装置が二重モード加入者装置に対して呼び出しを開始する呼び出しフローの実施形態例を示す呼び出しフロー図である。
【図１１】図１１は、ＰＳＴＮ装置が二重モード加入者装置に対して呼び出しを開始する呼び出しフローの実施形態例を示す呼び出しフロー図である。
【図１２】図１２は、遠隔ユニットによって開始された呼び出しについてのソフトスイッチの実施形態の動作のフローチャートである。
【図１３Ａ】図１３Ａおよび１３Ｂは、呼び出しが進行中の場合に呼び出しを制御するためにＳＩＰ信号伝達を使用する実施形態例を示す呼び出しフロー図である。
【図１３Ｂ】図１３Ａおよび１３Ｂは、呼び出しが進行中の場合に呼び出しを制御するためにＳＩＰ信号伝達を使用する実施形態例を示す呼び出しフロー図である。
【図１４】図１４は、媒体ゲートウェイを使用するシステムにおいてＩＰ装置が呼び出しを開始する場合の呼び出しフロー実施形態例を示す呼び出しフロー図である。
【図１５】図１５は、媒体ゲートウェイを使用するシステムにおいてＰＳＴＮ装置が呼び出しを開始する場合の呼び出しフロー実施形態例を示す呼び出しフロー図である。
【図１６】図１６は、応答ソフトスイッチ開始手法を使用するシステムの実施形態における加入者装置動作のフローチャートである。
【図１７】図１７は、媒体ゲートウェイ実施形態のブロック図である。
【図１８】図１８は、補助ソフトスイッチを実装するネットワークの実施形態を示すネットワーク図である。
【図１９】図１９は、二重モード加入者装置の実施形態のアイドルハンドオフについての状態図である。
【図２０】図２０は、ＷＬＡＮからセルラーネットワークへのハンドオフの実施形態を示す呼び出しフロー図である。
【図２１】図２１は、セルラーネットワークからＷＬＡＮへのハンドオフの実施形態を示す呼び出しフロー図である。
【図２２】図２２は、セルラーネットワークと、ＷＬＡＮとの間のハンドオフ処理の実施形態を示すフローチャートである。
【図２３】図２３は、セルラーネットワークと、ＷＬＡＮとの間のハンドオフ処理の代替実施形態を示すフローチャートである。
【図１】
2006520164.tif 000003
【図２】
2006520164.tif 000004
【図３】
2006520164.tif 000005
【図４】
2006520164.tif 000006
【図５】
2006520164.tif 000007
【図６】
2006520164.tif 000008
【図７】
2006520164.tif 000009
【図８】
2006520164.tif 000010
【図９】
2006520164.tif 000011
【図１０】
2006520164.tif 000012
【図１１】
2006520164.tif 000013
【図１２】
2006520164.tif 000014
【図１３Ａ】
2006520164.tif 000015
【図１３Ｂ】
2006520164.tif 000016
【図１４】
2006520164.tif 000017
【図１５】
2006520164.tif 000018
【図１６】
2006520164.tif 000019
【図１７】
2006520164.tif 000020
【図１８】
2006520164.tif 000021
【図１９】
2006520164.tif 000022
【図２０】
2006520164.tif 000023
【図２１】
2006520164.tif 000024
【図２２】
2006520164.tif 000025
【図２３】
2006520164.tif 000026
【国際調査報告】
2006520164.tif 000027
2006520164.tif 000028
2006520164.tif 000029